(57)【要約】本発明の実施形態はデータ送信方法に関する。方法は具体的には、端末によって、アップリンク制御情報ＵＣＩをＵＣＩの第１のフォーマットで無線アクセスネットワークデバイスに送信するステップを含み、第１のフォーマットで送信されるＵＣＩはビームグループの測定結果情報およびビームグループの情報のうちの少なくとも１つを含み、ビームグループは第１のビームグループおよび第２のビームグループを含み、ビームグループの測定結果情報は、第１のビームグループの測定結果および第１のビームグループの測定結果に対する第２のビームグループの測定結果のオフセットを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。この解決法では、ビームグループ化がビーム管理コストを減らすのを助ける。加えて、ミリメートル波システムにおけるグループ化されたビームグループベースのアップリンク制御情報の報告の問題が解決され、アップリンク制御情報を使用することによるグループ化されたビームグループ測定および測定結果の報告が実施され、それにより、リソースを適切に利用して報告のオーバーヘッドを減らす。
2020534747.tif 000002
【特許請求の範囲】
【請求項１】
データ送信方法であって、
端末によって、アップリンク制御情報ＵＣＩを前記ＵＣＩの第１のフォーマットで無線アクセスネットワークデバイスに送信するステップを備え、
前記第１のフォーマットで送信される前記ＵＣＩはビームグループの測定結果情報および前記ビームグループの情報のうちの少なくとも１つを備え、前記ビームグループは第１のビームグループおよび第２のビームグループを備え、前記ビームグループの前記測定結果情報は、前記第１のビームグループの測定結果および前記第１のビームグループの前記測定結果に対する前記第２のビームグループの測定結果のオフセットを備え、前記第１のビームグループの前記測定結果は基準測定結果であり、前記ビームグループの前記情報は、前記第１のビームグループの前記測定結果および前記第２のビームグループの前記測定結果のうちの少なくとも１つに対応するビームグループを示すために使用される、データ送信方法。
【請求項２】
前記第１のビームグループが、前記ビームグループのうちの、最大の測定値に対応するビームグループ、または最小の測定値に対応するビームグループ、または中間の測定値に対応するビームグループを備える請求項１に記載の方法。
【請求項３】
前記中間の測定値は、前記ビームグループの測定値の計算された平均値、または前記最大の測定値および前記最小の測定値に基づいて計算された平均値、または前記ビームグループの測定値の中間にある値を備える請求項２に記載の方法。
【請求項４】
前記第１のビームグループは、前記ビームグループのうちの、最大のビームグループ番号に対応するビームグループ、または最小のビームグループ番号に対応するビームグループ、または中間のビームグループ番号に対応するビームグループを備える請求項１に記載の方法。
【請求項５】
前記ビームグループの前記情報は、前記第１のビームグループの前記測定結果および前記第２のビームグループの前記測定結果のうちの少なくとも１つに対応するビームグループ識別子を備え、前記ビームグループ識別子は、前記基準測定結果が属する前記第１のビームグループのビームグループ識別子および前記基準測定結果に対する前記オフセットが属する前記第２のビームグループのビームグループ識別子のうちの少なくとも１つである請求項１に記載の方法。
【請求項６】
前記第２のビームグループの前記識別子が明示的に示されるとき、前記第２のビームグループの前記識別子は前記第２のビームグループの前記識別子自体であり、または、前記第２のビームグループの前記識別子は前記第１のビームグループの前記識別子に対するオフセットである請求項５に記載の方法。
【請求項７】
前記第２のビームグループの前記識別子が暗黙的に示されるとき、前記基準測定結果に対する前記第２のビームグループの前記測定結果の前記オフセットは、ビームグループ番号の昇順または降順で順番にソートされ、または、
前記基準測定結果に対する前記第２のビームグループの前記測定結果の前記オフセットは、ビームグループ番号の奇数または偶数の昇順で順番にソートされ、または、
前記基準測定結果に対する前記第２のビームグループの前記測定結果の前記オフセットは、ビームグループ番号の奇数または偶数の降順で順番にソートされ、または、
前記基準測定結果に対する前記第２のビームグループの前記測定結果の前記オフセットは、あらかじめ設定されたソート方式でソートされる請求項５に記載の方法。
【請求項８】
前記第２のビームグループの前記識別子が暗黙的に示されるとき、前記第１のビームグループに対応する前記基準測定結果は最大のビームグループ番号を伴うビームグループに対応するビームグループ測定結果であり、前記基準測定結果に対する前記第２のビームグループの前記測定結果の前記オフセットはビームグループ番号の降順で順番にソートされ、または、
前記第１のビームグループに対応する前記基準測定結果は最小のビームグループ番号を伴うビームグループに対応するビームグループ測定結果であり、前記基準測定結果に対する前記第２のビームグループの前記測定結果の前記オフセットはビームグループ番号の昇順で順番にソートされ、または、
あらかじめ設定された閾値より大きい前記ビームグループの測定結果は、あらかじめ設定されたソート方式でソートされる請求項５に記載の方法。
【請求項９】
前記あらかじめ設定された閾値および前記あらかじめ設定されたソート方式のうちの少なくとも１つは、無線リソース制御ＲＲＣシグナリングおよび媒体アクセス制御シグナリングのうちの少なくとも１つを使用することによって前記無線アクセスネットワークデバイスから前記端末に送信され、または、
前記あらかじめ設定された閾値および前記あらかじめ設定されたソート方式のうちの少なくとも１つは、前記端末上であらかじめ構成される請求項７または８に記載の方法。
【請求項１０】
端末によって、アップリンク制御情報ＵＣＩを前記ＵＣＩの第１のフォーマットで無線アクセスネットワークデバイスに送信する前記ステップの前に、
前記端末によって、前記無線アクセスネットワークデバイスから表示情報を受信するステップをさらに備え、ＵＣＩ報告のための基準として前記第１のビームグループを使用するか、またはＵＣＩ報告のための基準として前記第１のビームグループの前記測定結果を使用するかを前記端末に命令するために、前記表示情報が使用される請求項１に記載の方法。
【請求項１１】
前記第１のビームグループを基準として使用することを前記端末に命令するために前記表示情報が使用されるとき、前記表示情報は、第１のビームグループを決定するための方法をさらに備えることがあり、または、
前記第１のビームグループの前記測定結果を基準として使用することを前記端末に命令するために前記表示情報が使用されるとき、前記表示情報は、前記第１のビームグループの前記測定結果を前記基準測定結果として決定するための方法をさらに備えることがある請求項１０に記載の方法。
【請求項１２】
前記表示情報は、前記ＵＣＩが前記ビームグループの識別子を備えるか、または前記ビームグループの識別子のみを収容するかを示すためにさらに使用される請求項１０または１１に記載の方法。
【請求項１３】
前記ビームグループの測定結果に対応するビームグループの識別子が明示的に示されること、または暗黙的に示されることを示すために、前記表示情報はさらに使用される請求項１０乃至１２のいずれか一項に記載の方法。
【請求項１４】
前記表示情報は、前記第１のフォーマットで前記端末によって送信される前記ＵＣＩが、前記ビームグループの前記測定結果情報がハイブリッド自動再送要求ＨＡＲＱと多重化されることを備えること、またはＨＡＲＱ多重化フォーマットを備えることを示すためにさらに使用される、請求項１０乃至１３のいずれか一項に記載の方法。
【請求項１５】
前記表示情報は、測定のための基準信号、または前記ビームグループの前記測定結果を報告するための基礎として使用される前記基準信号を示すためにさらに使用され、前記基準信号は、同期信号、同期信号リソース識別子、チャネル状態情報基準信号ＣＳＩ−ＲＳ、およびＣＳＩ−ＲＳリソース識別子のうちの少なくとも１つを備える請求項１０乃至１４のいずれか一項に記載の方法。
【請求項１６】
データ送信方法であって、
端末によって、アップリンク制御情報ＵＣＩを前記ＵＣＩの第１のフォーマットで無線アクセスネットワークデバイスに送信するステップを備え、
前記第１のフォーマットで送信される前記ＵＣＩはビームの測定結果情報および前記ビームの情報のうちの少なくとも１つを備え、前記ビームは第１のビームおよび第２のビームを備え、前記ビームの前記測定結果情報は、前記第１のビームの測定結果と、前記第１のビームの前記測定結果に対する前記第２のビームの測定結果のオフセットとを備え、前記第１のビームの前記測定結果は基準測定結果であり、前記ビームの前記情報は、前記第１のビームの前記測定結果および前記第２のビームの前記測定結果のうちの少なくとも１つに対応するビームを示すために使用される、データ送信方法。
【請求項１７】
前記第１のビームは、前記ビームのうちの、最大の測定値に対応するビーム、または最小の測定値に対応するビーム、または中間の測定値に対応するビームを備える請求項１６に記載の方法。
【請求項１８】
前記中間の測定値は、前記ビームの測定値の計算された平均値、または前記最大の測定値および前記最小の測定値に基づいて計算された平均値、または前記ビームの測定値の中間にある値を備える請求項１７に記載の方法。
【請求項１９】
前記第１のビームは、前記ビームのうちの、最大のビーム番号に対応するビーム、または最小のビーム番号に対応するビーム、または中間のビーム番号に対応するビームを備える請求項１６に記載の方法。
【請求項２０】
前記ビームの前記情報は、前記第１のビームの前記測定結果および前記第２のビームの前記測定結果のうちの少なくとも１つに対応するビーム識別子を備え、前記ビームグループ識別子は、前記基準測定結果が属する前記第１のビームのビーム識別子および前記基準測定結果に対する前記オフセットが属する前記第２のビームのビーム識別子のうちの少なくとも１つである請求項１６に記載の方法。
【請求項２１】
前記第２のビームの前記識別子が明示的に示されるとき、前記第２のビームの前記識別子は前記第２のビームの前記識別子自体であり、または、前記第２のビームの前記識別子は前記第１のビームの前記識別子に対するオフセットである請求項２０に記載の方法。
【請求項２２】
前記第２のビームの前記識別子が暗黙的に示されるとき、前記基準測定結果に対する前記第２のビームの前記測定結果の前記オフセットは、ビーム番号の昇順または降順で順番にソートされ、または、
前記基準測定結果に対する前記第２のビームの前記測定結果の前記オフセットは、ビーム番号の奇数または偶数の昇順で順番にソートされ、または、
前記基準測定結果に対する前記第２のビームの前記測定結果の前記オフセットは、ビーム番号の奇数または偶数の降順で順番にソートされ、または、
前記基準測定結果に対する前記第２のビームの前記測定結果の前記オフセットは、あらかじめ設定されたソート方式でソートされる請求項２０に記載の方法。
【請求項２３】
前記第２のビームの前記識別子が暗黙的に示されるとき、前記第１のビームに対応する前記基準測定結果は最大のビーム番号を伴うビームに対応するビーム測定結果であり、前記基準測定結果に対する前記第２のビームの前記測定結果の前記オフセットはビーム番号の降順で順番にソートされ、または、
前記第１のビームに対応する前記基準測定結果は最小のビーム番号を伴うビームに対応するビーム測定結果であり、前記基準測定結果に対する前記第２のビームの前記測定結果の前記オフセットはビーム番号の昇順で順番にソートされ、または、
あらかじめ設定された閾値より大きい前記ビームの測定結果は、あらかじめ設定されたソート方式でソートされる請求項２０に記載の方法。
【請求項２４】
前記あらかじめ設定された閾値および前記あらかじめ設定されたソート方式のうちの少なくとも１つは、無線リソース制御ＲＲＣシグナリングおよび媒体アクセス制御シグナリングのうちの少なくとも１つを使用することによって前記無線アクセスネットワークデバイスから前記端末に送信され、または、
前記あらかじめ設定された閾値および前記あらかじめ設定されたソート方式のうちの少なくとも１つは、前記端末上であらかじめ構成される請求項２２または２３に記載の方法。
【請求項２５】
端末によって、アップリンク制御情報ＵＣＩを前記ＵＣＩの第１のフォーマットで無線アクセスネットワークデバイスに送信する前記ステップの前に、
前記端末によって、前記無線アクセスネットワークデバイスから表示情報を受信するステップをさらに備え、ＵＣＩ報告のための基準として前記第１のビームを使用するか、またはＵＣＩ報告のための基準として前記第１のビームの前記測定結果を使用するかを前記端末に命令するために、前記表示情報が使用される請求項１６に記載の方法。
【請求項２６】
第１のビームを基準として使用することを前記端末に命令するために前記表示情報が使用されるとき、前記表示情報は、第１のビームを決定するための方法をさらに備えることがあり、または、
前記第１のビームの前記測定結果を基準として使用することを前記端末に命令するために前記表示情報が使用されるとき、前記表示情報は、前記第１のビームの前記測定結果を前記基準測定結果として決定するための方法をさらに備えることがある請求項２５に記載の方法。
【請求項２７】
前記表示情報は、前記ＵＣＩが前記ビームの識別子を備えるか、または前記ビームの識別子のみを収容するかを示すためにさらに使用される請求項２５または２６に記載の方法。
【請求項２８】
前記ビームの測定結果に対応するビームの識別子が明示的に示されること、または暗黙的に示されることを示すために、前記表示情報はさらに使用される請求項２５乃至２７のいずれか一項に記載の方法。
【請求項２９】
前記表示情報は、前記第１のフォーマットで前記端末によって送信される前記ＵＣＩが、前記ビームの前記測定結果情報がハイブリッド自動再送要求ＨＡＲＱと多重化されることを備えること、またはＨＡＲＱ多重化フォーマットを備えることを示すためにさらに使用される、請求項２５乃至２８のいずれか一項に記載の方法。
【請求項３０】
前記表示情報は、測定のための基準信号、または前記ビームの前記測定結果を報告するための基礎として使用される前記基準信号を示すためにさらに使用され、前記基準信号は、同期信号、同期信号リソース識別子、チャネル状態情報基準信号ＣＳＩ−ＲＳ、およびＣＳＩ−ＲＳリソース識別子のうちの少なくとも１つを備える請求項２５乃至２９のいずれか一項に記載の方法。
【請求項３１】
命令を備えるコンピュータ可読記憶媒体であって、前記命令がコンピュータ上で走らされるとき、前記コンピュータは、請求項１乃至１５および請求項１６乃至３０のいずれか一項に記載の方法を実行することが可能にされる、コンピュータ可読記憶媒体。
【請求項３２】
命令を備えるコンピュータプログラム製品であって、前記コンピュータプログラム製品がコンピュータ上で走らされるとき、前記コンピュータは、請求項１乃至１５および請求項１６乃至３０のいずれか一項に記載の方法を実行することが可能にされる、コンピュータプログラム製品。
【発明の詳細な説明】
【技術分野】
【０００１】
本発明は、通信技術の分野に関し、詳細には、アップリンクデータ送信方法、無線アクセスネットワークデバイス、および端末に関する。
【背景技術】
【０００２】
ミリメートル波システムでは、ミリメートル波送信ノードまたは基地局と端末との間の通信リンクが移動する物体により遮断されやすいということが、主な制約である。この問題に対する解決法は、ミリメートル波の通信品質を確保するために、超高密度のネットワーク展開およびビームフォーミング（ｂｅａｍｆｏｒｍｉｎｇ）を適用することであり得る。
【０００３】
５Ｇの分野では、ビームグループ化、ビーム報告、およびビームグループ表示に基づくビーム測定、およびビームベースの送信と変換が研究されている。ビームグループは次のように定義される。１つまたは複数の送受信ポイントに対して、複数の送信ビームおよび／もしくは受信ビームがビームセットへとグループ化され、または、複数の送信ビームペアおよび／もしくは受信ビームペアがビームペアセットへとグループ化され、あるいは、１つの端末に対して、複数の送信ビームおよび／もしくは受信ビームがビームセットへとグループ化され、または、複数の送信ビームペアおよび／もしくは受信ビームペアがビームペアセットへとグループ化される。
【０００４】
これまでに、ビーム報告の分野において、複数のビームのフィルタリングされた基準信号受信電力（ｒｅｆｅｒｅｎｃｅ  ｓｉｇｎａｌ  ｒｅｃｅｉｖｉｎｇ  ｐｏｗｅｒ、ＲＳＲＰ）の必要性が論じられてきた。ある場合には、Ｌ１差分Ｌ１−ＲＳＲＰ報告が複数のビームに対して実行され、基準値として使用されるＲＳＲＰはＬ１−ＲＳＲＰ差分報告を実施するために使用される必要がある。基準値として使用されるＲＳＲＰは、あらかじめ定められることがあり、または構成可能であることがある。この場合、ビーム報告のために使用されるアップリンク制御情報（ＵＬ  ｃｏｎｔｒｏｌ  ｉｎｆｏｒｍａｔｉｏｎ、ＵＣＩ）が再設計される必要がある。しかしながら、従来技術では、ビームグループベースのアップリンク制御情報の設計またはビームベースのアップリンク制御情報の設計を実施するために利用可能な効果的な方法がない。
【発明の概要】
【発明が解決しようとする課題】
【０００５】
本発明の実施形態は、ミリメートル波システムにおけるグループ化されたビームグループベースのアップリンク制御情報の報告およびビームベースのアップリンク制御情報の報告の問題を解決するための、データ送信方法、無線アクセスネットワークデバイス、および端末を提供する。
【課題を解決するための手段】
【０００６】
第１の態様によれば、本出願の実施形態はデータ送信方法を提供する。方法は具体的には、端末によって、アップリンク制御情報ＵＣＩをＵＣＩの第１のフォーマットで無線アクセスネットワークデバイスに送信するステップを含み、第１のフォーマットで送信されるＵＣＩはビームグループの測定結果情報およびビームグループの情報のうちの少なくとも１つを含み、ビームグループは第１のビームグループおよび第２のビームグループを含み、ビームグループの測定結果情報は、第１のビームグループの測定結果および第１のビームグループの測定結果に対する第２のビームグループの測定結果のオフセットを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。
【０００７】
複数の第２のビームグループがあるとき、第２のビームグループの測定結果に対応するビームグループは、複数のそれぞれ対応するビームグループである。すなわち、第２のビームグループは、第３のビームグループおよび第４のビームグループを含む。この場合、第２のビームグループの測定結果は、第３のビームグループに対応する測定結果および第４のビームグループに対応する測定結果を含む。第２のビームグループは、限定はされないが、第３のビームグループおよび第４のビームグループを含み、代替としてＮ個のビームグループを含むことがあり、Ｎは正の整数であることに留意されたい。本出願における「複数」は少なくとも２つを意味することに留意されたい。
【０００８】
この解決法では、ビームグループ化がビーム管理コストを減らすのを助ける。加えて、ミリメートル波システムにおけるグループ化されたビームグループベースのアップリンク制御情報の報告の問題が解決され、アップリンク制御情報を使用することによるグループ化されたビームグループ測定および測定結果の報告が実施され、それにより、リソースを適切に利用して報告のオーバーヘッドを減らす。
【０００９】
任意選択の実装では、第１のビームグループは、ビームグループのうちの、最大の測定値に対応するビームグループ、または最小の測定値に対応するビームグループ、または中間の測定値に対応するビームグループを含む。
【００１０】
ビームグループは、そのビームグループの測定結果との１対１の対応関係にある。具体的には、第１のビームグループは第１のビームグループの測定結果を有し、または第１のビームグループは第１のビームグループの測定結果に対応し、または第１のビームグループの測定結果は第１のビームグループに属し、または第１のビームグループの測定結果に対応するビームグループは第１のビームグループである。第２のビームグループは第２のビームグループの測定結果を有し、または第２のビームグループは第２のビームグループの測定結果に対応し、または第２のビームグループの測定結果は第２のビームグループに属し、または第２のビームグループの測定結果に対応するビームグループは第２のビームグループである。
【００１１】
別の任意選択の実装では、中間の測定値は、ビームグループの測定値の計算された平均値、または最大の測定値および最小の測定値に基づいて計算された平均値、またはビームグループの測定値の中間にある値を含む。さらに別の任意選択の実装では、第１のビームグループは、ビームグループのうちで、最大のビームグループ番号に対応するビームグループ、または最小のビームグループ番号に対応するビームグループ、または中間のビームグループ番号に対応するビームグループを含み、中間のビームグループ番号を伴うビームグループは、複数のビームグループ番号の中間にあるビームグループ番号に対応するビームグループである。
【００１２】
別の任意選択の実装では、ビームグループの情報は、第１のビームグループの測定結果および第２のビームグループの測定結果のうちの少なくとも１つに対応するビームグループ識別子を含み、ビームグループ識別子は、基準測定結果が属する第１のビームグループのビームグループ識別子および基準測定結果に対するオフセットが属する第２のビームグループのビームグループ識別子のうちの少なくとも１つである。
【００１３】
さらに別の任意選択の実装では、第２のビームグループの識別子が明示的に示されるとき、第２のビームグループの識別子は第２のビームグループの識別子自体であり、または、第２のビームグループの識別子は第１のビームグループの識別子に対するオフセットである。
【００１４】
さらに別の任意選択の実装では、第２のビームグループの識別子が暗黙的に示されるとき、基準測定結果に対する第２のビームグループの測定結果のオフセットがビームグループ番号の昇順もしくは降順で順番にソートされ、または、基準測定結果に対する第２のビームグループの測定結果のオフセットがビームグループ番号の奇数もしくは偶数の昇順で順番にソートされ、または、基準測定結果に対する第２のビームグループの測定結果のオフセットがビームグループ番号の奇数もしくは偶数の降順で順番にソートされ、または、基準測定結果に対する第２のビームグループの測定結果のオフセットがあらかじめ設定されたソート方式でソートされる。
【００１５】
さらに別の任意選択の実装では、第２のビームグループの識別子が暗黙的に示されるとき、第１のビームグループに対応する基準測定結果が最大のビームグループ番号を伴うビームグループに対応する測定結果であり、基準測定結果に対する第２のビームグループの測定結果のオフセットがビームグループ番号の降順で順番にソートされ、または、第１のビームグループに対応する基準測定結果が最小のビームグループ番号を伴うビームグループに対応するビームグループ測定結果であり、基準測定結果に対する第２のビームグループの測定結果のオフセットがビームグループ番号の昇順で順番にソートされ、または、あらかじめ設定された閾値より大きいビームグループの測定結果があらかじめ設定されたソート方式でソートされる。
【００１６】
さらに別の任意選択の実装では、あらかじめ設定された閾値およびあらかじめ設定されたソート方式のうちの少なくとも１つが、無線リソース制御（ｒａｄｉｏ  ｒｅｓｏｕｒｃｅ  ｃｏｎｔｒｏｌ、ＲＲＣ）シグナリングおよび媒体アクセス制御（ｍｅｄｉａ  ａｃｃｅｓｓ  ｃｏｎｔｒｏｌ、ＭＡＣ）シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末においてあらかじめ構成される。
【００１７】
さらに別の任意選択の実装では、端末によって、アップリンク制御情報ＵＣＩをＵＣＩの第１のフォーマットで無線アクセスネットワークデバイスに送信するステップの前に、方法は、端末によって、無線アクセスネットワークデバイスから表示情報を受信するステップをさらに含み、表示情報は、ＵＣＩ報告のための基準として第１のビームグループを使用するか、またはＵＣＩ報告のための基準として第１のビームグループの測定結果を使用するかを端末に命令するために使用される。
【００１８】
さらに別の任意選択の実装では、第１のビームグループを基準として使用するように端末に命令するために表示情報が使用されるとき、表示情報は、第１のビームグループを決定するための方法をさらに含むことがあり、または、第１のビームグループの測定結果を基準として使用するように端末に命令するために表示情報が使用されるとき、表示情報は、第１のビームグループの測定結果を基準測定結果として決定するための方法をさらに含むことがある。
【００１９】
さらに別の任意選択の実装では、表示情報は、ＵＣＩがビームグループの識別子を含むか、またはビームグループの識別子のみを収容するかを示すためにさらに使用される。
【００２０】
さらに別の任意選択の実装では、ビームグループの測定結果に対応するビームグループの識別子が明示的に示されること、または暗黙的に示されることを示すために、表示情報がさらに使用される。
【００２１】
さらに別の任意選択の実装では、表示情報は、第１のフォーマットで端末によって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【００２２】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００２３】
第２の態様によれば、本出願の実施形態はデータ送信方法を提供する。方法は具体的には、端末によって、アップリンク制御情報ＵＣＩをＵＣＩの第１のフォーマットで無線アクセスネットワークデバイスに送信するステップを含み、第１のフォーマットで送信されるＵＣＩはビームの測定結果情報およびビームの情報のうちの少なくとも１つを含み、ビームは第１のビームおよび第２のビームを含み、ビームの測定結果情報は第１のビームの測定結果および第１のビームの測定結果に対する第２のビームの測定結果のオフセットを含み、第１のビームの測定結果は基準測定結果であり、ビームの情報は第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【００２４】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【００２５】
任意選択の実装では、第１のビームは、ビームのうちで、最大の測定値に対応するビーム、または最小の測定値に対応するビーム、または中間の測定値に対応するビームを含む。ビームは、そのビームの測定結果との１対１の対応関係にある。具体的には、第１のビームは第１のビームの測定結果を有し、または第１のビームは第１のビームの測定結果に対応し、または第１のビームの測定結果は第１のビームに属し、または第１のビームの測定結果に対応するビームは第１のビームである。第２のビームは第２のビームの測定結果を有し、または第２のビームは第２のビームの測定結果に対応し、または第２のビームの測定結果は第２のビームに属し、または第２のビームの測定結果に対応するビームは第２のビームである。
【００２６】
別の任意選択の実装では、中間の測定値は、ビームの測定値の計算された平均値、または最大の測定値および最小の測定値に基づいて計算された平均値、またはビームの測定値の中間にある値を含む。
【００２７】
さらに別の任意選択の実装では、第１のビームは、ビームのうちで、最大のビーム番号に対応するビーム、または最小のビーム番号に対応するビーム、または中間のビーム番号に対応するビームを含み、中間のビーム番号を伴うビームは、複数のビーム番号の中間にあるビーム番号に対応するビームである。
【００２８】
さらに別の任意選択の実装では、ビームの情報は、第１のビームの測定結果および第２のビームの測定結果のうちの少なくとも１つに対応するビーム識別子を含み、ビーム識別子は、基準測定結果が属する第１のビームのビーム識別子および基準測定結果に対するオフセットが属する第２のビームのビーム識別子のうちの少なくとも１つである。
【００２９】
さらに別の任意選択の実装では、ビームの情報は次のことを含む：第２のビームの識別子が明示的に示されるとき、第２のビームの識別子は第２のビームの識別子自体であり、または、第２のビームの識別子が第１のビームの識別子に対するオフセットである。
【００３０】
さらに別の任意選択の実装では、第２のビームの識別子が暗黙的に示されるとき、基準測定結果に対する第２のビームの測定結果のオフセットがビーム番号の昇順もしくは降順で順番にソートされ、または、基準測定結果に対する第２のビームの測定結果のオフセットがビーム番号の奇数もしくは偶数の昇順で順番にソートされ、または、基準測定結果に対する第２のビームの測定結果のオフセットがビーム番号の奇数もしくは偶数の降順で順番にソートされ、または、基準測定結果に対する第２のビームの測定結果のオフセットがあらかじめ設定されたソート方式でソートされる。
【００３１】
さらに別の任意選択の実装では、第２のビームの識別子が暗黙的に示されるとき、第１のビームに対応する基準測定結果が最大のビーム番号を伴うビームに対応するビーム測定結果であり、基準測定結果に対する第２のビームの測定結果のオフセットがビーム番号の降順で順番にソートされ、または、第１のビームに対応する基準測定結果が最小のビーム番号を伴うビームに対応するビーム測定結果であり、基準測定結果に対する第２のビームの測定結果のオフセットがビーム番号の昇順で順番にソートされ、または、あらかじめ設定された閾値より大きいビームの測定結果があらかじめ設定されたソート方式でソートされる。
【００３２】
さらに別の任意選択の実装では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【００３３】
さらに別の任意選択の実装では、端末によって、アップリンク制御情報ＵＣＩをＵＣＩの第１のフォーマットで無線アクセスネットワークデバイスに送信するステップの前に、方法は、端末によって、無線アクセスネットワークデバイスから表示情報を受信するステップをさらに含み、表示情報は、ＵＣＩ報告のための基準として第１のビームを使用するか、またはＵＣＩ報告のための基準として第１のビームの測定結果を使用するかを端末に命令するために使用される。
【００３４】
さらに別の任意選択の実装では、第１のビームを基準として使用するように端末に命令するために表示情報が使用されるとき、表示情報は、第１のビームを決定するための方法をさらに含むことがあり、または、第１のビームの測定結果を基準として使用するように端末に命令するために表示情報が使用されるとき、表示情報は、第１のビームの測定結果を基準測定結果として決定するための方法をさらに含むことがある。
【００３５】
さらに別の任意選択の実装では、表示情報は、ＵＣＩがビームの識別子を含むか、またはビームの識別子のみを収容するかを示すためにさらに使用される。
【００３６】
さらに別の任意選択の実装では、ビームの測定結果に対応するビームの識別子が明示的に示されること、または暗黙的に示されることを示すために、表示情報がさらに使用される。
【００３７】
さらに別の任意選択の実装では、表示情報は、第１のフォーマットで端末によって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【００３８】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００３９】
第３の態様によれば、本出願の実施形態はデータ送信方法を提供する。方法は具体的には、無線アクセスネットワークデバイスによって、表示情報を端末に送信するステップであって、アップリンク制御情報ＵＣＩ報告のための基準として第１のビームグループを使用するか、またはアップリンク制御情報ＵＣＩ報告のための基準として第１のビームグループの測定結果を使用するかを端末に命令するために、表示情報が使用される、ステップと、無線アクセスネットワークデバイスによって、第１のフォーマットで端末によって送信されるＵＣＩを受信するステップとを含み、ＵＣＩは、ビームグループの測定結果情報およびビームグループの情報のうちの少なくとも１つを含み、ビームグループは第１のビームグループおよび第２のビームグループを含み、ビームグループの測定結果情報は、第１のビームグループの測定結果および第１のビームグループの測定結果に対する第２のビームグループの測定結果のオフセットを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【００４０】
この解決法では、ビームグループ化がビーム管理コストを減らすのを助ける。加えて、ミリメートル波システムにおけるグループ化されたビームグループベースのアップリンク制御情報の報告の問題が解決され、アップリンク制御情報を使用することによるグループ化されたビームグループ測定および測定結果の報告が実施され、それにより、リソースを適切に利用して報告のオーバーヘッドを減らす。
【００４１】
任意選択の実装では、ＵＣＩ報告のための基準として第１のビームグループを使用するか、またはＵＣＩ報告のための基準として第１のビームグループの測定結果を使用するかを端末に命令するために、表示情報がさらに使用される。
【００４２】
別の任意選択の実装では、複数のビームグループから第１のビームグループを決定することと、ＵＣＩ報告のための基準として第１のビームグループを使用すること、またはＵＣＩ報告のための基準として第１のビームグループの測定結果を使用することとを端末に命令するために、表示情報がさらに使用される。
【００４３】
さらに別の任意選択の実装では、第１のビームグループを決定するための方法を使用することによって第１のビームグループを決定するかどうかを端末に命令するために、表示情報がさらに使用される。
【００４４】
さらに別の任意選択の実装では、表示情報は、ＵＣＩがビームグループの識別子を含むか、またはビームグループの識別子のみを収容するかを示すためにさらに使用される。
【００４５】
さらに別の任意選択の実装では、ビームグループの測定結果に対応するビームグループの識別子が明示的に示されること、または暗黙的に示されることを示すために、表示情報がさらに使用される。
【００４６】
さらに別の任意選択の実装では、表示情報は、第１のフォーマットで端末によって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【００４７】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００４８】
さらに別の任意選択の実装では、表示情報は、無線リソース制御シグナリング、媒体アクセス制御シグナリング、および物理レイヤシグナリングのうちの少なくとも１つを使用することによって示される。
【００４９】
第４の態様によれば、本出願の実施形態はデータ送信方法を提供する。方法は具体的には、無線アクセスネットワークデバイスによって、表示情報を端末に送信するステップであって、アップリンク制御情報ＵＣＩ報告のための基準として第１のビームを使用するか、またはアップリンク制御情報ＵＣＩ報告のための基準として第１のビームの測定結果を使用するかを端末に命令するために、表示情報が使用される、ステップと、無線アクセスネットワークデバイスによって、第１のフォーマットで端末によって送信されるＵＣＩを受信するステップとを含み、ＵＣＩは、ビームの測定結果情報およびビームの情報のうちの少なくとも１つを含み、ビームは第１のビームおよび第２のビームを含み、ビームの測定結果情報は、第１のビームの測定結果および第１のビームの測定結果に対する第２のビームの測定結果のオフセットを含み、第１のビームの測定結果は基準測定結果であり、ビームの情報は、第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【００５０】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【００５１】
任意選択の実装では、ＵＣＩ報告のための基準として第１のビームを使用するか、またはＵＣＩ報告のための基準として第１のビームの測定結果を使用するかを端末に命令するために、表示情報がさらに使用される。
【００５２】
別の任意選択の実装では、複数のビームから第１のビームを決定することと、ＵＣＩ報告のための基準として第１のビームを使用すること、またはＵＣＩ報告のための基準として第１のビームの測定結果を使用することとを端末に命令するために、表示情報がさらに使用される。
【００５３】
さらに別の任意選択の実装では、第１のビームグループを決定するための方法を使用することによって第１のビームグループを決定するかどうかを端末に命令するために、表示情報がさらに使用される。
【００５４】
さらに別の任意選択の実装では、表示情報は、ＵＣＩがビームの識別子を含むか、またはビームの識別子のみを収容するかを示すためにさらに使用される。
【００５５】
さらに別の任意選択の実装では、ビームの測定結果に対応するビームの識別子が明示的に示されること、または暗黙的に示されることを示すために、表示情報がさらに使用される。
【００５６】
さらに別の任意選択の実装では、表示情報は、第１のフォーマットで端末によって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【００５７】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００５８】
さらに別の任意選択の実装では、表示情報は、無線リソース制御シグナリング、媒体アクセス制御シグナリング、および物理レイヤシグナリングのうちの少なくとも１つを使用することによって示される。
【００５９】
第５の態様によれば、本出願の実施形態は端末を提供する。端末は具体的には、アップリンク制御情報ＵＣＩをＵＣＩの第１のフォーマットで無線アクセスネットワークデバイスに送信するように構成されるトランシーバを含むことがあり、第１のフォーマットで送信されるＵＣＩはビームグループの測定結果情報およびビームグループの情報のうちの少なくとも１つを含み、ビームグループは第１のビームグループおよび第２のビームグループを含み、ビームグループの測定結果情報は、第１のビームグループの測定結果と、第１のビームグループの測定結果に対する第２のビームグループの測定結果のオフセットとを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。複数の第２のビームグループがあるとき、第２のビームグループの測定結果に対応するビームグループが複数のそれぞれ対応するビームグループである。すなわち、第２のビームグループは、第３のビームグループおよび第４のビームグループを含む。この場合、第２のビームグループの測定結果は、第３のビームグループに対応する測定結果および第４のビームグループに対応する測定結果を含む。第２のビームグループは、限定はされないが、第３のビームグループおよび第４のビームグループを含み、代替としてＮ個のビームグループを含むことがあり、Ｎは正の整数であることに留意されたい。
【００６０】
この解決法では、ビームグループ化がビーム管理コストを減らすのを助ける。加えて、ミリメートル波システムにおけるグループ化されたビームグループベースのアップリンク制御情報の報告の問題が解決され、アップリンク制御情報を使用することによるグループ化されたビームグループ測定および測定結果の報告が実施され、それにより、リソースを適切に利用して報告のオーバーヘッドを減らす。
【００６１】
任意選択の実装では、第１のビームグループは、ビームグループのうちの、最大の測定値に対応するビームグループ、または最小の測定値に対応するビームグループ、または中間の測定値に対応するビームグループを含む。ビームグループは、そのビームグループの測定結果との１対１の対応関係にある。具体的には、第１のビームグループは第１のビームグループの測定結果を有し、または第１のビームグループは第１のビームグループの測定結果に対応し、または第１のビームグループの測定結果は第１のビームグループに属し、または第１のビームグループの測定結果に対応するビームグループは第１のビームグループである。第２のビームグループは第２のビームグループの測定結果を有し、または第２のビームグループは第２のビームグループの測定結果に対応し、または第２のビームグループの測定結果は第２のビームグループに属し、または第２のビームグループの測定結果に対応するビームグループは第２のビームグループである。
【００６２】
別の任意選択の実装では、中間の測定値は、ビームグループの測定値の計算された平均値、または最大の測定値および最小の測定値に基づいて計算された平均値、またはビームグループの測定値の中間にある値を含む。さらに別の任意選択の実装では、ビームグループのうちで、第１のビームグループは最大のビームグループ番号に対応するビームグループ、または最小のビームグループ番号に対応するビームグループ、または中間のビームグループ番号に対応するビームグループを含み、中間のビームグループ番号を伴うビームグループは、複数のビームグループ番号の中間にあるビームグループ番号に対応するビームグループである。
【００６３】
さらに別の任意選択の実装では、ビームグループの情報は、第１のビームグループの測定結果および第２のビームグループの測定結果のうちの少なくとも１つに対応するビームグループ識別子を含み、ビームグループ識別子は、基準測定結果が属する第１のビームグループのビームグループ識別子および基準測定結果に対するオフセットが属する第２のビームグループのビームグループ識別子のうちの少なくとも１つである。
【００６４】
さらに別の任意選択の実装では、プロセッサは、第２のビームグループの識別子が明示的に示されるとき、第２のビームグループの識別子が第２のビームグループの識別子自体であること、または、第２のビームグループの識別子が第１のビームグループの識別子に対するオフセットであることを決定するようにさらに構成される。
【００６５】
さらに別の任意選択の実装では、プロセッサは、第２のビームグループの識別子が暗黙的に示されるとき、基準測定結果に対する第２のビームグループの測定結果のオフセットがビームグループ番号の昇順もしくは降順で順番にソートされること、または、基準測定結果に対する第２のビームグループの測定結果のオフセットがビームグループ番号の奇数もしくは偶数の昇順で順番にソートされること、または、基準測定結果に対する第２のビームグループの測定結果のオフセットがビームグループ番号の奇数もしくは偶数の降順で順番にソートされること、または、基準測定結果に対する第２のビームグループの測定結果のオフセットがあらかじめ設定されたソート方式でソートされることを決定するようにさらに構成される。
【００６６】
さらに別の任意選択の実装では、プロセッサは、第２のビームグループの識別子が暗黙的に示されるとき、第１のビームグループに対応する基準測定結果が最大のビームグループを伴うビームグループに対応するビームグループ測定結果であり、基準測定結果に対する第２のビームグループの測定結果のオフセットがビームグループ番号の降順で順番にソートされること、または、第１のビームグループに対応する基準測定結果が最小のビームグループ番号を伴うビームグループに対応するビームグループ測定結果であり、基準測定結果に対する第２のビームグループの測定結果のオフセットがビームグループ番号の昇順で順番にソートされること、または、あらかじめ設定された閾値より大きいビームグループの測定結果があらかじめ設定されたソート方式でソートされることを決定するようにさらに構成される。
【００６７】
さらに別の任意選択の実装では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【００６８】
さらに別の任意選択の実装では、トランシーバは、無線アクセスネットワークデバイスから表示情報を受信するようにさらに構成され、第１のビームグループをＵＣＩ報告のための基準として使用するか、または第１のビームグループの測定結果をＵＣＩ報告のための基準として使用するかをプロセッサに命令するために、表示情報が使用される。
【００６９】
さらに別の任意選択の実装では、第１のビームグループを基準として使用するようにプロセッサに命令するために表示情報が使用されるとき、表示情報は、第１のビームグループを決定するための方法をさらに含むことがあり、または、第１のビームグループの測定結果を基準として使用するようにプロセッサに命令するために表示情報が使用されるとき、表示情報は、第１のビームグループの測定結果を基準測定結果として決定するための方法を含むことがある。
【００７０】
さらに別の任意選択の実装では、表示情報は、ＵＣＩがビームグループの識別子を含むか、またはビームグループの識別子のみを収容するかを示すためにさらに使用される。
【００７１】
さらに別の任意選択の実装では、ビームグループの測定結果に対応するビームグループの識別子が明示的に示されること、または暗黙的に示されることを示すために、表示情報がさらに使用される。
【００７２】
さらに別の任意選択の実装では、表示情報はさらに、第１のフォーマットでトランシーバによって送信されるＵＣＩが、ビームグループの測定結果情報がハイブリッド自動再送要求ＨＡＲＱと多重化されることを含むこと、またはＨＡＲＱ多重化フォーマットを含むことを示すために使用される。
【００７３】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００７４】
第６の態様によれば、本出願の実施形態は端末を提供する。端末は具体的には、アップリンク制御情報ＵＣＩをＵＣＩの第１のフォーマットで無線アクセスネットワークデバイスに送信するように構成されるトランシーバを含むことがあり、第１のフォーマットで送信されるＵＣＩはビームの測定結果情報およびビームの情報のうちの少なくとも１つを含み、ビームは第１のビームおよび第２のビームを含み、ビームの測定結果情報は第１のビームの測定結果および第１のビームの測定結果に対する第２のビームの測定結果のオフセットを含み、第１のビームの測定結果は基準測定結果であり、ビームの情報は第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【００７５】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【００７６】
任意選択の実装では、第１のビームは、ビームのうちで、最大の測定値に対応するビーム、または最小の測定値に対応するビーム、または中間の測定値に対応するビームを含む。ビームは、そのビームの測定結果との１対１の対応関係にある。具体的には、第１のビームは第１のビームの測定結果を有し、または第１のビームは第１のビームの測定結果に対応し、または第１のビームの測定結果は第１のビームに属し、または第１のビームの測定結果に対応するビームは第１のビームである。第２のビームは第２のビームの測定結果を有し、または第２のビームは第２のビームの測定結果に対応し、または第２のビームの測定結果は第２のビームに属し、または第２のビームの測定結果に対応するビームは第２のビームである。
【００７７】
別の任意選択の実装では、中間の測定値は、ビームの測定値の計算された平均値、または最大の測定値および最小の測定値に基づいて計算された平均値、またはビームの測定値の中間にある値を含む。さらに別の任意選択の実装では、プロセッサは次のように構成される：第１のビームは、ビームのうちで、最大のビーム番号に対応するビーム、または最小のビーム番号に対応するビーム、または中間のビーム番号に対応するビームを含み、中間のビーム番号を伴うビームは、複数のビーム番号の中間にあるビーム番号に対応するビームである。
【００７８】
さらに別の任意選択の実装では、ビームの情報は、第１のビームの測定結果および第２のビームの測定結果のうちの少なくとも１つに対応するビーム識別子を含み、ビーム識別子は、基準測定結果が属する第１のビームのビーム識別子および基準測定結果に対するオフセットが属する第２のビームのビーム識別子のうちの少なくとも１つである。
【００７９】
さらに別の任意選択の実装では、プロセッサは、第２のビームの識別子が明示的に示されるとき、第２のビームの識別子が第２のビームの識別子自体であること、または、第２のビームの識別子が第１のビームの識別子に対するオフセットであることを決定するようにさらに構成される。
【００８０】
さらに別の任意選択の実装では、プロセッサは、第２のビームの識別子が暗黙的に示されるとき、基準測定結果に対する第２のビームの測定結果のオフセットがビーム番号の昇順もしくは降順で順番にソートされること、または、基準測定結果に対する第２のビームの測定結果のオフセットがビーム番号の奇数もしくは偶数の昇順で順番にソートされること、または、基準測定結果に対する第２のビームの測定結果のオフセットがビーム番号の奇数もしくは偶数の降順で順番にソートされること、または、基準測定結果に対する第２のビームの測定結果のオフセットがあらかじめ設定されたソート方式でソートされることを決定するようにさらに構成される。
【００８１】
さらに別の任意選択の実装では、プロセッサは、第２のビームの識別子が暗黙的に示されるとき、第１のビームグループに対応する基準測定結果が最大のビーム番号を伴うビームに対応するビーム測定結果であり、基準測定結果に対する第２のビームの測定結果のオフセットがビーム番号の降順で順番にソートされること、または、第１のビームに対応する基準測定結果が最小のビーム番号を伴うビームに対応するビーム測定結果であり、基準測定結果に対する第２のビームの測定結果のオフセットがビーム番号の昇順で順番にソートされること、または、あらかじめ設定された閾値より大きいビームの測定結果があらかじめ設定されたソート方式でソートされることを決定するようにさらに構成される。
【００８２】
さらに別の任意選択の実装では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【００８３】
さらに別の任意選択の実装では、トランシーバは、無線アクセスネットワークデバイスから表示情報を受信するようにさらに構成され、第１のビームをＵＣＩ報告のための基準として使用するか、または第１のビームの測定結果をＵＣＩ報告のための基準として使用するかをプロセッサに命令するために、表示情報が使用される。
【００８４】
さらに別の任意選択の実装では、第１のビームを基準として使用するようにプロセッサに命令するために表示情報が使用されるとき、表示情報は、第１のビームを決定するための方法をさらに含むことがあり、または、第１のビームの測定結果を基準として使用するようにプロセッサに命令するために表示情報が使用されるとき、表示情報は、第１のビームの測定結果を基準測定結果として決定するための方法をさらに含むことがある。
【００８５】
さらに別の任意選択の実装では、表示情報は、ＵＣＩがビームの識別子を含むか、またはビームの識別子のみを収容するかを示すためにさらに使用される。
【００８６】
さらに別の任意選択の実装では、ビームの測定結果に対応するビームの識別子が明示的に示されること、または暗黙的に示されることを示すために、表示情報がさらに使用される。
【００８７】
さらに別の任意選択の実装では、表示情報はさらに、第１のフォーマットでトランシーバによって送信されるＵＣＩが、ビームの測定結果情報がハイブリッド自動再送要求ＨＡＲＱと多重化されることを含むこと、またはＨＡＲＱ多重化フォーマットを含むことを示すために使用される。
【００８８】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００８９】
第７の態様によれば、本出願の実施形態は無線アクセスネットワークデバイスを提供する。無線アクセスネットワークデバイスは具体的には、表示情報を端末に送信するように構成されるトランシーバを含むことがあり、アップリンク制御情報ＵＣＩ報告のための基準として第１のビームグループを使用するか、またはアップリンク制御情報ＵＣＩ報告のための基準として第１のビームグループの測定結果を使用するかを端末に命令するために、表示情報が使用され、トランシーバは、第１のフォーマットで端末によって送信されるＵＣＩを受信するようにさらに構成され、ＵＣＩは、ビームグループの測定結果情報およびビームグループの情報のうちの少なくとも１つを含み、ビームグループは第１のビームグループおよび第２のビームグループを含み、ビームグループの測定結果情報は、第１のビームグループの測定結果および第１のビームグループの測定結果に対する第２のビームグループの測定結果のオフセットを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【００９０】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【００９１】
任意選択の実装では、ＵＣＩ報告のための基準として第１のビームグループを使用するか、またはＵＣＩ報告のための基準として第１のビームグループの測定結果を使用するかを端末に命令するために、表示情報がさらに使用される。
【００９２】
別の任意選択の実装では、複数のビームグループから第１のビームグループを決定することと、ＵＣＩ報告のための基準として第１のビームグループを使用すること、またはＵＣＩ報告のための基準として第１のビームグループの測定結果を使用することとを端末に命令するために、表示情報がさらに使用される。
【００９３】
さらに別の任意選択の実装では、第１のビームグループを決定するための方法を使用することによって第１のビームグループを決定するかどうかを端末に命令するために、表示情報がさらに使用される。
【００９４】
さらに別の任意選択の実装では、表示情報は、ＵＣＩがビームグループの識別子を含むか、またはビームグループの識別子のみを収容するかを示すためにさらに使用される。
【００９５】
さらに別の任意選択の実装では、ビームグループの測定結果に対応するビームグループの識別子が明示的に示されること、または暗黙的に示されることを示すために、表示情報がさらに使用される。
【００９６】
さらに別の任意選択の実装では、表示情報は、第１のフォーマットで端末によって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【００９７】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【００９８】
さらに別の任意選択の実装では、表示情報は、無線リソース制御シグナリング、媒体アクセス制御シグナリング、および物理レイヤシグナリングのうちの少なくとも１つを使用することによって示される。
【００９９】
第８の態様によれば、本出願の実施形態は無線アクセスネットワークデバイスを提供する。無線アクセスネットワークデバイスは具体的には、表示情報を端末に送信するように構成されるトランシーバを含むことがあり、アップリンク制御情報ＵＣＩ報告のための基準として第１のビームを使用するか、またはアップリンク制御情報ＵＣＩ報告のための基準として第１のビームの測定結果を使用するかを端末に命令するために、表示情報が使用され、トランシーバは、第１のフォーマットで端末によって送信されるＵＣＩを受信するようにさらに構成され、ＵＣＩは、ビームの測定結果情報およびビームの情報のうちの少なくとも１つを含み、ビームは第１のビームおよび第２のビームを含み、ビームの測定結果情報は、第１のビームの測定結果および第１のビームの測定結果に対する第２のビームの測定結果のオフセットを含み、第１のビームの測定結果は基準測定結果であり、ビームの情報は、第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【０１００】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【０１０１】
任意選択の実装では、ＵＣＩ報告のための基準として第１のビームを使用するか、またはＵＣＩ報告のための基準として第１のビームの測定結果を使用するかを端末に命令するために、表示情報がさらに使用される。
【０１０２】
別の任意選択の実装では、複数のビームから第１のビームを決定することと、ＵＣＩ報告のための基準として第１のビームを使用すること、またはＵＣＩ報告のための基準として第１のビームの測定結果を使用することとを端末に命令するために、表示情報がさらに使用される。
【０１０３】
さらに別の任意選択の実装では、第１のビームグループを決定するための方法を使用することによって第１のビームグループを決定するかどうかを端末に命令するために、表示情報がさらに使用される。
【０１０４】
さらに別の任意選択の実装では、表示情報は、ＵＣＩがビームの識別子を含むか、またはビームの識別子のみを収容するかを示すためにさらに使用される。
【０１０５】
さらに別の任意選択の実装では、ビームの測定結果に対応するビームの識別子が明示的に示されること、または暗黙的に示されることを示すために、表示情報がさらに使用される。
【０１０６】
さらに別の任意選択の実装では、表示情報は、第１のフォーマットで端末によって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【０１０７】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１０８】
第９の態様によれば、本出願の実施形態は端末を提供する。端末は具体的には、アップリンク制御情報ＵＣＩをＵＣＩの第１のフォーマットで無線アクセスネットワークデバイスに送信するように構成されるトランシーバユニットを含むことがあり、第１のフォーマットで送信されるＵＣＩはビームグループの測定結果情報およびビームグループの情報のうちの少なくとも１つを含み、ビームグループは第１のビームグループおよび第２のビームグループを含み、ビームグループの測定結果情報は第１のビームグループの測定結果および第１のビームグループの測定結果に対する第２のビームグループの測定結果のオフセットを含み、第１のビームグループの測定結果は基準測定結果であり、ビームグループの情報は第１のビームグループの測定結果および第２のビームグループの測定結果のうちの少なくとも１つに対応するビームグループを示すために使用され、ビームグループは１つまたは複数のビームグループである。複数の第２のビームグループがあるとき、第２のビームグループの測定結果に対応するビームグループが複数のそれぞれ対応するビームグループである。すなわち、第２のビームグループは、第３のビームグループおよび第４のビームグループを含む。この場合、第２のビームグループの測定結果は、第３のビームグループに対応する測定結果および第４のビームグループに対応する測定結果を含む。第２のビームグループは、限定はされないが、第３のビームグループおよび第４のビームグループを含み、代替としてＮ個のビームグループを含むことがあり、Ｎは正の整数であることに留意されたい。
【０１０９】
この解決法では、ビームグループ化がビーム管理コストを減らすのを助ける。加えて、ミリメートル波システムにおけるグループ化されたビームグループベースのアップリンク制御情報の報告の問題が解決され、アップリンク制御情報を使用することによるグループ化されたビームグループ測定および測定結果の報告が実施され、それにより、リソースを適切に利用して報告のオーバーヘッド（ｏｖｅｒｈｅａｄ）を減らす。
【０１１０】
任意選択の実装では、端末は次のことをさらに含み得る：第１のビームグループは、ビームグループのうちの、最大の測定値に対応するビームグループ、または最小の測定値に対応するビームグループ、または中間の測定値に対応するビームグループを含む。ビームグループは、そのビームグループの測定結果との１対１の対応関係にある。具体的には、第１のビームグループは第１のビームグループの測定結果を有し、または第１のビームグループは第１のビームグループの測定結果に対応し、または第１のビームグループの測定結果は第１のビームグループに属し、または第１のビームグループの測定結果に対応するビームグループは第１のビームグループである。第２のビームグループは第２のビームグループの測定結果を有し、または第２のビームグループは第２のビームグループの測定結果に対応し、または第２のビームグループの測定結果は第２のビームグループに属し、または第２のビームグループの測定結果に対応するビームグループは第２のビームグループである。
【０１１１】
別の任意選択の実装では、中間の測定値は、ビームグループの測定値の計算された平均値、または最大の測定値および最小の測定値に基づいて計算された平均値、またはビームグループの測定値の中間にある値を含む。さらに別の任意選択の実装では、ビームグループのうちで、第１のビームグループは最大のビームグループ番号に対応するビームグループ、または最小のビームグループ番号に対応するビームグループ、または中間のビームグループ番号に対応するビームグループを含み、中間のビームグループ番号を伴うビームグループは、複数のビームグループ番号の中間にあるビームグループ番号に対応するビームグループである。
【０１１２】
さらに別の任意選択の実装では、ビームグループの情報は、第１のビームグループの測定結果および第２のビームグループの測定結果のうちの少なくとも１つに対応するビームグループ識別子を含み、ビームグループ識別子は、基準測定結果が属する第１のビームグループのビームグループ識別子および基準測定結果に対するオフセットが属する第２のビームグループのビームグループ識別子のうちの少なくとも１つである。
【０１１３】
さらに別の任意選択の実装では、処理ユニットは、第２のビームグループの識別子が明示的に示されるとき、第２のビームグループの識別子が第２のビームグループの識別子自体であること、または、第２のビームグループの識別子が第１のビームグループの識別子に対するオフセットであることを決定するようにさらに構成される。
【０１１４】
さらに別の任意選択の実装では、処理ユニットは、第２のビームグループの識別子が暗黙的に示されるとき、基準測定結果に対する第２のビームグループの測定結果のオフセットがビームグループ番号の昇順もしくは降順で順番にソートされること、または、基準測定結果に対する第２のビームグループの測定結果のオフセットがビームグループ番号の奇数もしくは偶数の昇順で順番にソートされること、または、基準測定結果に対する第２のビームグループの測定結果のオフセットがビームグループ番号の奇数もしくは偶数の降順で順番にソートされること、または、基準測定結果に対する第２のビームグループの測定結果のオフセットがあらかじめ設定されたソート方式でソートされることを決定するようにさらに構成される。
【０１１５】
さらに別の任意選択の実装では、処理ユニットは、第２のビームグループの識別子が暗黙的に示されるとき、第１のビームグループに対応する基準測定結果が最大のビームグループ番号を伴うビームグループに対応するビームグループ測定結果であり、基準測定結果に対する第２のビームグループの測定結果のオフセットがビームグループ番号の降順で順番にソートされること、または、第１のビームグループに対応する基準測定結果が最小のビームグループ番号を伴うビームグループに対応するビームグループ測定結果であり、基準測定結果に対する第２のビームグループの測定結果のオフセットがビームグループ番号の昇順で順番にソートされること、または、あらかじめ設定された閾値より大きいビームグループの測定結果があらかじめ設定されたソート方式でソートされることを決定するようにさらに構成される。
【０１１６】
さらに別の任意選択の実装では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【０１１７】
さらに別の任意選択の実装では、トランシーバユニットは、無線アクセスネットワークデバイスから表示情報を受信するようにさらに構成され、ＵＣＩ報告のための基準として第１のビームグループを使用するか、またはＵＣＩ報告のための基準として第１のビームグループの測定結果を使用するかを処理ユニットに命令するために、表示情報が使用される。
【０１１８】
さらに別の任意選択の実装では、第１のビームグループを基準として使用するように処理ユニットに命令するために表示情報が使用されるとき、表示情報は、第１のビームグループを決定するための方法をさらに含むことがあり、または、第１のビームグループの測定結果を基準として使用するように処理ユニットに命令するために表示情報が使用されるとき、表示情報は、第１のビームグループの測定結果を基準測定結果として決定するための方法をさらに含むことがある。
【０１１９】
さらに別の任意選択の実装では、表示情報は、ＵＣＩがビームグループの識別子を含むか、またはビームグループの識別子のみを収容するかを示すためにさらに使用される。
【０１２０】
さらに別の任意選択の実装では、ビームグループの測定結果に対応するビームグループの識別子が明示的に示されること、または暗黙的に示されることを示すために、表示情報がさらに使用される。
【０１２１】
さらに別の任意選択の実装では、表示情報はさらに、第１のフォーマットでトランシーバユニットによって送信されるＵＣＩが、ビームグループの測定結果情報がハイブリッド自動再送要求ＨＡＲＱと多重化されることを含むこと、またはＨＡＲＱ多重化フォーマットを含むことを示すために使用される。
【０１２２】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１２３】
第１０の態様によれば、本出願の実施形態は端末を提供する。端末は具体的には、アップリンク制御情報ＵＣＩをＵＣＩの第１のフォーマットで無線アクセスネットワークデバイスに送信するように構成されるトランシーバユニットを含むことがあり、第１のフォーマットで送信されるＵＣＩはビームの測定結果情報およびビームの情報のうちの少なくとも１つを含み、ビームは第１のビームおよび第２のビームを含み、ビームの測定結果情報は第１のビームの測定結果および第１のビームの測定結果に対する第２のビームの測定結果のオフセットを含み、第１のビームの測定結果は基準測定結果であり、ビームの情報は第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【０１２４】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【０１２５】
任意選択の実装では、第１のビームは、ビームのうちで、最大の測定値に対応するビーム、または最小の測定値に対応するビーム、または中間の測定値に対応するビームを含む。ビームは、そのビームの測定結果との１対１の対応関係にある。具体的には、第１のビームは第１のビームの測定結果を有し、または第１のビームは第１のビームの測定結果に対応し、または第１のビームの測定結果は第１のビームに属し、または第１のビームの測定結果に対応するビームは第１のビームである。第２のビームは第２のビームの測定結果を有し、または第２のビームは第２のビームの測定結果に対応し、または第２のビームの測定結果は第２のビームに属し、または第２のビームの測定結果に対応するビームは第２のビームである。
【０１２６】
別の任意選択の実装では、中間の測定値は、ビームの測定値の計算された平均値、または最大の測定値および最小の測定値に基づいて計算された平均値、またはビームの測定値の中間にある値を含む。さらに別の任意選択の実装では、処理ユニットは次のようにさらに構成される：第１のビームは、ビームのうちで、最大のビーム番号に対応するビーム、または最小のビーム番号に対応するビーム、または中間のビーム番号に対応するビームを含み、中間のビーム番号を伴うビームは、複数のビーム番号の中間にあるビーム番号に対応するビームである。
【０１２７】
さらに別の任意選択の実装では、ビームの情報は、第１のビームの測定結果および第２のビームの測定結果のうちの少なくとも１つに対応するビーム識別子を含み、ビーム識別子は、基準測定結果が属する第１のビームのビーム識別子および基準測定結果に対するオフセットが属する第２のビームのビーム識別子のうちの少なくとも１つである。
【０１２８】
さらに別の任意選択の実装では、処理ユニットは、第２のビームの識別子が明示的に示されるとき、第２のビームの識別子が第２のビームの識別子自体であること、または、第２のビームの識別子が第１のビームの識別子に対するオフセットであることを決定するようにさらに構成される。
【０１２９】
さらに別の任意選択の実装では、処理ユニットは、第２のビームの識別子が暗黙的に示されるとき、基準測定結果に対する第２のビームの測定結果のオフセットがビーム番号の昇順もしくは降順で順番にソートされること、または、基準測定結果に対する第２のビームの測定結果のオフセットがビーム番号の奇数もしくは偶数の昇順で順番にソートされること、または、基準測定結果に対する第２のビームの測定結果のオフセットがビーム番号の奇数もしくは偶数の降順で順番にソートされること、または、基準測定結果に対する第２のビームの測定結果のオフセットがあらかじめ設定されたソート方式でソートされることを決定するようにさらに構成される。
【０１３０】
さらに別の任意選択の実装では、処理ユニットは、第２のビームの識別子が暗黙的に示されるとき、第１のビームグループに対応する基準測定結果が最大のビーム番号を伴うビームに対応するビーム測定結果であり、基準測定結果に対する第２のビームの測定結果のオフセットがビーム番号の降順で順番にソートされること、または、第１のビームに対応する基準測定結果が最小のビーム番号を伴うビームに対応するビーム測定結果であり、基準測定結果に対する第２のビームの測定結果のオフセットがビーム番号の昇順で順番にソートされること、または、あらかじめ設定された閾値より大きいビームの測定結果があらかじめ設定されたソート方式でソートされることを決定するようにさらに構成される。
【０１３１】
さらに別の任意選択の実装では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【０１３２】
さらに別の任意選択の実装では、トランシーバユニットは、無線アクセスネットワークデバイスから表示情報を受信するようにさらに構成され、処理ユニットがＵＣＩ報告のための基準として第１のビームを使用するか、またはＵＣＩ報告のための基準として第１のビームの測定結果を使用するかを示すために、表示情報が使用される。
【０１３３】
さらに別の任意選択の実装では、第１のビームを基準として使用するように処理ユニットに命令するために表示情報が使用されるとき、表示情報は、第１のビームを決定するための方法をさらに含むことがあり、または、第１のビームの測定結果を基準として使用するように処理ユニットに命令するために表示情報が使用されるとき、表示情報は、第１のビームの測定結果を基準測定結果として決定するための方法をさらに含むことがある。
【０１３４】
さらに別の任意選択の実装では、表示情報は、ＵＣＩがビームの識別子を含むか、またはビームの識別子のみを収容するかを示すためにさらに使用される。
【０１３５】
さらに別の任意選択の実装では、ビームの測定結果に対応するビームの識別子が明示的に示されること、または暗黙的に示されることを示すために、表示情報がさらに使用される。
【０１３６】
さらに別の任意選択の実装では、表示情報はさらに、第１のフォーマットでトランシーバユニットによって送信されるＵＣＩが、ビームの測定結果情報がハイブリッド自動再送要求ＨＡＲＱと多重化されることを含むこと、またはＨＡＲＱ多重化フォーマットを含むことを示すために使用される。
【０１３７】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１３８】
第１１の態様によれば、本出願の実施形態は無線アクセスネットワークデバイスを提供する。無線アクセスネットワークデバイスは具体的には、表示情報を端末に送信するように構成されるトランシーバユニットを含むことがあり、アップリンク制御情報ＵＣＩ報告のための基準として第１のビームグループを使用するか、またはアップリンク制御情報ＵＣＩ報告のための基準として第１のビームグループの測定結果を使用するかを端末に命令するために、表示情報が使用され、トランシーバユニットは、第１のフォーマットで端末によって送信されるＵＣＩを受信するようにさらに構成され、ＵＣＩは、ビームグループの測定結果情報およびビームグループの情報のうちの少なくとも１つを含み、ビームグループは第１のビームグループおよび第２のビームグループを含み、ビームグループの測定結果情報は、第１のビームグループの測定結果および第１のビームグループの測定結果に対する第２のビームグループの測定結果のオフセットを含み、第１のビームグループの測定結果は基準測定結果であり、ビームグループの情報は、第１のビームグループの測定結果および第２のビームグループの測定結果のうちの少なくとも１つに対応するビームグループを示すために使用され、ビームグループは１つまたは複数のビームグループである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【０１３９】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【０１４０】
任意選択の実装では、ＵＣＩ報告のための基準として第１のビームグループを使用するか、またはＵＣＩ報告のための基準として第１のビームグループの測定結果を使用するかを端末に命令するために、表示情報がさらに使用される。
【０１４１】
別の任意選択の実装では、複数のビームグループから第１のビームグループを決定することと、ＵＣＩ報告のための基準として第１のビームグループを使用すること、またはＵＣＩ報告のための基準として第１のビームグループの測定結果を使用することとを端末に命令するために、表示情報がさらに使用される。
【０１４２】
さらに別の任意選択の実装では、第１のビームグループを決定するための方法を使用することによって第１のビームグループを決定するかどうかを端末に命令するために、表示情報がさらに使用される。
【０１４３】
さらに別の任意選択の実装では、表示情報は、ＵＣＩがビームグループの識別子を含むか、またはビームグループの識別子のみを収容するかを示すためにさらに使用される。
【０１４４】
さらに別の任意選択の実装では、ビームグループの測定結果に対応するビームグループの識別子が明示的に示されること、または暗黙的に示されることを示すために、表示情報がさらに使用される。
【０１４５】
さらに別の任意選択の実装では、表示情報は、第１のフォーマットで端末によって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【０１４６】
さらに別の任意選択の実装では、表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１４７】
さらに別の任意選択の実装では、表示情報は、無線リソース制御シグナリング、媒体アクセス制御シグナリング、および物理レイヤシグナリングのうちの少なくとも１つを使用することによって示される。
【０１４８】
第１２の態様によれば、本出願の実施形態は無線アクセスネットワークデバイスを提供する。無線アクセスネットワークデバイスは具体的には、表示情報を端末に送信するように構成されるトランシーバユニットを含むことがあり、第１のビームをアップリンク制御情報ＵＣＩ報告のための基準として使用するか、または第１のビームの測定結果をアップリンク制御情報ＵＣＩ報告のための基準として使用するかを端末に命令するために、表示情報が使用され、トランシーバユニットは、第１のフォーマットで端末によって送信されるＵＣＩを受信するようにさらに構成され、ＵＣＩは、ビームの測定結果情報およびビームの情報のうちの少なくとも１つを含み、ビームは第１のビームおよび第２のビームを含み、ビームの測定結果情報は、第１のビームの測定結果および第１のビームの測定結果に対する第２のビームの測定結果のオフセットを含み、第１のビームの測定結果は基準測定結果であり、ビームの情報は、第１のビームの測定結果および第２のビームの測定結果のうちの少なくとも１つに対応するビームを示すために使用され、ビームは１つまたは複数のビームである。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【０１４９】
この解決法によれば、ミリメートル波システムにおけるビームベースのアップリンク制御情報の報告の問題が解決され、ビーム測定、およびアップリンク制御情報を使用することによる測定結果の報告が実施され、それにより、リソースを適切に利用し、報告のオーバーヘッドを減らす。
【０１５０】
任意選択の実装では、ＵＣＩ報告のための基準として第１のビームを使用するか、またはＵＣＩ報告のための基準として第１のビームの測定結果を使用するかを端末に命令するために、表示情報がさらに使用される。
【０１５１】
別の任意選択の実装では、複数のビームから第１のビームを決定することと、ＵＣＩ報告のための基準として第１のビームを使用すること、またはＵＣＩ報告のための基準として第１のビームの測定結果を使用することとを端末に命令するために、表示情報がさらに使用される。
【０１５２】
さらに別の任意選択の実装では、第１のビームグループを決定するための方法を使用することによって第１のビームグループを決定するかどうかを端末に命令するために、表示情報がさらに使用される。
【０１５３】
さらに別の任意選択の実装では、表示情報は、ＵＣＩがビームの識別子を含むか、またはビームの識別子のみを収容するかを示すためにさらに使用される。
【０１５４】
さらに別の任意選択の実装では、ビームの測定結果に対応するビームの識別子が明示的に示されること、または暗黙的に示されることを示すために、表示情報がさらに使用される。
【０１５５】
さらに別の任意選択の実装では、表示情報は、第１のフォーマットで端末によって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【０１５６】
さらに別の任意選択の実装では、表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１５７】
第１２の態様によれば、本発明の実施形態はコンピュータ記憶媒体を提供し、コンピュータ記憶媒体は命令を記憶し、命令がコンピュータ上で走らされるとき、コンピュータは、第１の態様および第２の態様のあらゆる可能な設計において方法を実行することが可能にされる。
【０１５８】
第１３の態様によれば、本発明の実施形態はコンピュータプログラム製品を提供し、コンピュータプログラム製品は命令を含み、プログラムがコンピュータによって実行されるとき、命令は、コンピュータが第１の態様および第２の態様のあらゆる可能な設計において方法を実行することを可能にする。
【０１５９】
第１４の態様によれば、本発明の実施形態はコンピュータプログラムを提供し、コンピュータプログラムは命令を含み、プログラムがコンピュータによって実行されるとき、命令は、コンピュータが第１の態様および第２の態様のあらゆる可能な設計において方法を実行することを可能にする。
【図面の簡単な説明】
【０１６０】
【図１】本発明の実施形態による通信システムの概略アーキテクチャ図である。
【図２】本発明の実施形態によるビームグループベースのデータ送信方法の概略フローチャートである。
【図３】本発明の実施形態による別のビームグループベースのデータ送信方法の概略フローチャートである。
【図４】本発明の実施形態によるビームベースのデータ送信方法の概略フローチャートである。
【図５】本発明の実施形態による別のビームベースのデータ送信方法の概略フローチャートである。
【図６】本発明の実施形態によるビームグループベースの端末の概略構造図である。
【図７】本発明の実施形態によるビームベースの端末の概略構造図である。
【発明を実施するための形態】
【０１６１】
本発明の実施形態の理解を促進するために、以下は、特定の実施形態を使用することによって添付の図面を参照して、さらなる説明および記述を提供する。実施形態は、本発明の実施形態に対するいかなる制約の構成要素ともならない。
【０１６２】
本発明の実施形態は、グループ化されたビームグループについて測定を実行して第１のフォーマットでＵＣＩを送信するために、データ送信方法、無線アクセスネットワークデバイス、および端末を提供する。これは、ミリメートル波システムにおけるビームグループベースのアップリンク制御情報の報告の問題を解決する。したがって、この解決法では、ビーム管理が効果的に実施されることが可能であり、第１のフォーマットでアップリンク制御情報の情報を報告することがより正確であり、報告のオーバーヘッドが減らされることが可能である。
【０１６３】
図１は、本発明の実施形態による通信システムの概略アーキテクチャ図である。図１に示されるように、通信システムは、無線アクセスネットワークデバイス０１および端末０２を含む。可能な実施形態では、１つより多くの端末０２があることがあり、図１は説明のための例として１つの端末０２のみを示す。
【０１６４】
本発明の実施形態で説明される技術は、高周波システム、または他の周波数領域のワイヤレス通信システムに適用され得る。加えて、技術は、第５世代５Ｇシステム、ニューラジオ（ｎｅｗ  ｒａｄｉｏ、ＮＲ）システムなどにも適用可能であり得る。
【０１６５】
本出願では、「システム」および「ネットワーク」という用語は通常は交互に使用され、当業者はそれらの意味を理解することができる。本出願における無線アクセスネットワークデバイス０１は、端末のためのワイヤレス通信機能を提供するために、無線アクセスネットワークデバイスにおいて展開されるネットワークデバイスである。無線アクセスネットワークデバイス０１は、様々な形態、たとえば、５Ｇ基地局、ニューラジオ基地局（ｎｅｗ  ｒａｄｉｏ  ｅＮＢまたはｅＮｏｄｅＢ）、送受信ポイント（ｔｒａｎｓｍｉｓｓｉｏｎ  ａｎｄ  ｒｅｃｅｐｔｉｏｎ  ｐｏｉｎｔ、ＴＲＰ）、マクロ基地局、マイクロ基地局、中継局、高周波基地局、およびロングタームエボリューション（ｌｏｎｇ  ｔｅｒｍ  ｅｖｏｌｕｔｉｏｎ、ＬＴＥ）マクロ基地局を含み得る。異なる無線アクセス技術を使用するシステムでは、基地局機能を有するデバイスは異なる名前を有し得る。たとえば、デバイスは、ＬＴＥネットワークにおいて進化型ＮｏｄｅＢ（ｅｖｏｌｖｅｄ  ＮｏｄｅＢ、ｅＮＢまたはｅＮｏｄｅＢ）と呼ばれ、第５世代５ＧまたはＮＲネットワークにおいてはニューラジオＮｏｄｅＢ（ｎｅｗ  ｒａｄｉｏ  ＮｏｄｅＢ、ＮＲ−ＮＢ）と呼ばれる。加えて、本出願における端末０２は、様々なタイプ、たとえば、ハンドヘルドデバイス、車載デバイス、ウェアラブルデバイス（ｗｅａｒａｂｌｅ  ｄｅｖｉｃｅ、ＷＤ）、および、ワイヤレス通信機能を有するコンピューティングデバイス、またはワイヤレスモデムに接続される別の処理デバイスを含むことがあり、様々な形態、たとえば、移動局（ｍｏｂｉｌｅ  ｓｔａｔｉｏｎ、ＭＳ）、端末（ｔｅｒｍｉｎａｌ）、および端末機器（ｔｅｒｍｉｎａｌ  ｅｑｕｉｐｍｅｎｔ）を含むことがある。
【０１６６】
説明を簡単にするために、本出願における端末は、たとえばＵＥであることがあり、ＵＥのためのワイヤレス通信機能を提供する無線アクセスネットワークデバイスは、たとえば基地局であることがある。
【０１６７】
現在、グループベースのビームは５Ｇの背景で研究されている。本出願では、ビームグループは次のように定義される。１つまたは複数の送受信ポイントに対して、複数の送信ビームおよび／もしくは受信ビームがビームセットへとグループ化され、または、複数の送信ビームペアおよび／もしくは受信ビームペアがビームペアセットへとグループ化される。１つのＵＥに対して、複数の送信ビームおよび／もしくは受信ビームがビームセットへとグループ化され、または、複数の送信ビームペアおよび／もしくは受信ビームペアがビームペアセットへとグループ化される。ビームグループは少なくとも１人のビームを含み得る。グループ化は、ビームグループを決定するために基地局によってビームをグループ化すること、またはビームグループを決定するためにＵＥによってビームをグループ化することであり得る。しかしながら、グループベースの報告が実行されるかどうかは、表示情報を使用することによって基地局によって示され得る。それに対応して、図２は、本発明の実施形態によるビームグループベースのデータ送信方法の概略フローチャートである。図２は、少なくとも１つのビームグループのうちの第１のビームグループと、第１のビームグループの測定結果とのうちの少なくとも１つを、ＵＥがアップリンク制御情報ＵＣＩ報告のための基準として使用する例を使用する。図２に示されるように、この実施形態はステップＳ２１０からＳ２３０を含む。詳細が以下で与えられる。
【０１６８】
Ｓ２１０：ＵＥが表示情報を取得する。
【０１６９】
具体的には、ＵＥは、基地局から表示情報を受信することによって、または、ＵＥについてあらかじめ構成される情報に基づいて表示情報を取得することによって、表示情報を取得し得る。表示情報は、以下の内容のうちの任意の１つまたは複数を含み得る。以下の内容のうちの任意の１つまたは複数が基地局から取得されることがあり、残りはあらかじめ構成されることに留意されたい。
【０１７０】
表示情報は、ビームグループベースの報告を実行するかどうかをＵＥに命令するために使用され得る。
【０１７１】
表示情報はさらに、同一の特性を伴うビームを１つのグループへとグループ化するかどうかをＵＥに命令するために使用され得る。同一の特性は、同一のサブキャリア間隔、同一の波形、または１つのグループへとグループ化され得る測定値のうちの任意の１つまたは複数であり得る。
【０１７２】
表示情報は、ＵＣＩ報告のための基準として第１のビームグループを使用するか、またはＵＣＩ報告のための基準として第１のビームグループの測定結果を使用するかをＵＥに命令するためにさらに使用されることがあり、第１のビームグループの測定結果は基準測定結果である。第１のビームグループを基準として使用すると決定するための方法は次のことを含み得る：第１のビームグループは、最大のビームグループ番号を伴うビームグループ、または最小のビームグループ番号を伴うビームグループ、または中間のビームグループ番号を伴うビームグループであり得る。第１のビームグループは代替として、最大の測定値を伴うビームグループ、または最小の測定値を伴うビームグループ、または中間の測定値を伴うビームグループであり得る。第１のビームグループの測定結果を基準測定結果として使用すると決定するための方法は次のことを含み得る：第１のビームグループの測定結果は、最大のビームグループ番号を伴うビームグループの測定結果、または最小のビームグループ番号を伴うビームグループの測定結果、または中間のビームグループ番号を伴うビームグループの測定結果であり得る。第１のビームグループの測定結果は、最大の測定値を伴うビームグループに対応するビームグループ測定結果、または最小の測定値を伴うビームグループに対応するビームグループ測定結果、または中間の測定値を伴うビームグループに対応するビームグループ測定結果であり得る。測定値は測定結果に対応する値であることがあり、または、測定値はマッピング関係に基づいて対応する測定結果を取得するために使用されることがある。中間の測定値を決定するための方法は、複数の測定値に基づいて計算される平均値、もしくは最大の測定値と最小の測定値に基づいて計算される平均値に基づいて、複数のビームグループの測定値のうちの、中間の測定値を決定するステップ、または、複数のビームグループの測定値の中間にある値を中間の測定結果値として選択するステップを含む。
【０１７３】
表示情報は、ビームグループの識別子が明示的に示されること、または暗黙的に示されることを、第１のフォーマットでＵＥによって送信されるＵＣＩが含むことを示すために、さらに使用され得る。
【０１７４】
第１のビームグループを基準として使用することをＵＥに命令するために表示情報が使用されるとき、表示情報は、第１のビームグループを決定するための方法をさらに含み得る。
【０１７５】
第１のビームグループの測定結果を基準として使用するようにＵＥに命令するために表示情報が使用されるとき、表示情報は、第１のビームグループの測定結果を基準測定結果として決定するための方法をさらに含み得る。
【０１７６】
表示情報は、ＵＣＩがビームグループの識別子を含むか、またはビームグループの識別子のみを収容するかを示すためにさらに使用される。
【０１７７】
ビームグループの測定結果に対応するビームグループの識別子が明示的に示されること、または暗黙的に示されることを示すために、表示情報がさらに使用される。
【０１７８】
表示情報は、第１のフォーマットでＵＥによって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【０１７９】
表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０１８０】
表示情報は、無線リソース制御（ｒａｄｉｏ  ｒｅｓｏｕｒｃｅ  ｃｏｎｔｒｏｌ、ＲＲＣ）シグナリング、媒体アクセス制御（ｍｅｄｉａ  ａｃｃｅｓｓ  ｃｏｎｔｒｏｌ、ＭＡＣ）シグナリング、および物理レイヤシグナリングのうちの少なくとも１つを使用することによって示され得る。
【０１８１】
Ｓ２２０：ＵＥが、表示情報に基づいて、第１のビームグループを基準として使用すること、または第１のビームグループの測定結果を基準として使用することを決定する。
【０１８２】
具体的には、ＵＥは、各ビームを測定し、ビームをビームグループへとグループ化し、グループ化されたビームグループのためのビームグループ識別子およびビームグループの対応する測定結果を決定する。
【０１８３】
可能な実施形態では、ビームグループをグループ化することは、ＵＥが、表示情報に基づいて、同一の特性を収容するビームを１つのグループへとグループ化し、同一の特性を収容しない残りのビームを１つのグループへとグループ化することを意味する。同一の特性を収容しないビームに対して、１つだけのビームを伴うビームグループがあり得る。この場合、ビームグループは１つだけのビームを含む。同一の特性を収容するビームを１つのグループへとグループ化することは、同一のサブキャリア間隔を伴うビームを１つのビームグループへとグループ化するための、ビームが同一のサブキャリア間隔を有するかどうかに基づくビームグループ化であることがあり、または、同一の波形を伴うビームを１つのビームグループへとグループ化するための、ビームが同一の波形を有するかどうかに基づくビームグループ化であることがあり、または、近い測定値を伴うビームを１つのビームグループへとグループ化するための、ビームが近い測定値を有するかどうかに基づくビームグループ化であることがある。
【０１８４】
対応するビームグループの測定結果を決定することは、ビームの測定結果に基づいてビームグループの測定値を推測し、測定値と測定結果との間のマッピング関係または対応関係に基づいて、対応するビームグループの測定結果を取得することである。ビームの測定値に基づいてビームグループの測定値を推測することは、線形関数または非線形関数に基づいて推測することである。
【０１８５】
ＵＥによって第１のビームグループを決定する方式は次のことを含み得る：ＵＥは、最大のビームグループ番号を伴うビームグループを第１のビームグループとして決定し、または、ＵＥは最小のビームグループ番号を伴うビームグループを第１のビームグループとして決定し、または、ＵＥは中間のビームグループ番号を伴うビームグループを第１のビームグループとして決定する。
【０１８６】
別の可能な実施形態では、第１のビームグループを基準として使用することを表示情報が命令し、第１のビームグループを決定するための方法が、最大のビームグループ番号を伴うビームグループを第１のビームグループとして選択することであるとき、ＵＥは、表示情報に基づいて最大のビームグループ番号を伴うビームグループを第１のビームグループとして決定する。
【０１８７】
さらに別の可能な実施形態では、第１のビームグループを基準として使用することを表示情報が命令し、第１のビームグループを決定するための方法が、最小のビームグループ番号を伴うビームグループを第１のビームグループとして選択することであるとき、ＵＥは、表示情報に基づいて最小のビームグループ番号を伴うビームグループを第１のビームグループとして決定する。
【０１８８】
さらに別の可能な実施形態では、第１のビームグループを基準として使用することを表示情報が命令し、第１のビームグループを決定するための方法が、中間のビームグループ番号を伴うビームグループを第１のビームグループとして選択することであるとき、ＵＥは、表示情報に基づいて中間のビームグループ番号を伴うビームグループを第１のビームグループとして決定する。
【０１８９】
ＵＥによって第１のビームグループを決定する方式は次のことをさらに含み得る：ＵＥは、最大の測定値を伴うビームグループを第１のビームグループとして決定し、または、ＵＥは、最小の測定値を伴うビームグループを第１のビームグループとして決定し、または、ＵＥは、中間の測定値を伴うビームグループを第１のビームグループとして決定する。
【０１９０】
さらに別の可能な実施形態では、第１のビームグループを基準として使用することを表示情報が命令し、第１のビームグループを決定するための方法が、最大の測定値を伴うビームグループを第１のビームグループとして選択することであるとき、ＵＥは、表示情報に基づいて最大の測定値を伴うビームグループを第１のビームグループとして決定する。
【０１９１】
さらに別の可能な実施形態では、第１のビームグループを基準として使用することを表示情報が命令し、第１のビームグループを決定するための方法が、最小の測定値を伴うビームグループを第１のビームグループとして選択することであるとき、ＵＥは、表示情報に基づいて最小の測定値を伴うビームグループを第１のビームグループとして決定する。
【０１９２】
さらに別の可能な実施形態では、第１のビームグループを基準として使用することを表示情報が命令し、第１のビームグループを決定するための方法が、中間の測定値を伴うビームグループを第１のビームグループとして選択することであるとき、ＵＥは、表示情報に基づいて中間の測定値を伴うビームグループを第１のビームグループとして決定する。
【０１９３】
ＵＥは複数の方式で基準測定結果を決定することがあり、これらは具体的には以下の方式を含むことがある。
【０１９４】
方式１：
【０１９５】
複数のビームグループの測定値において、
最大の測定値を伴うビームグループに対応するビームグループ測定結果を基準測定結果として選択し、または、
最小の測定値を伴うビームグループに対応するビームグループ測定結果を基準測定結果として選択し、または、
中間の測定値を伴うビームグループに対応するビームグループ測定結果を基準測定結果として選択する。
【０１９６】
中間の測定値を決定するための方法は、複数の測定値に基づいて計算される平均値、もしくは最大の測定値と最小の測定値に基づいて計算される平均値に基づいて、複数のビームグループの測定値のうちの、中間の測定値を決定するステップ、または、複数のビームグループの測定値の中間にある値を中間の測定結果値として選択するステップを含む。
【０１９７】
第１のビームグループの決定の間に、複数のビームグループの中の第１のビームグループ以外のビームグループが第２のビームグループであり、第２のビームグループは複数のビームグループのうちの少なくとも１つを含み得ることに留意されたい。第１のビームグループの測定結果が基準測定結果として使用されることが決定されるとき、複数のビームグループの測定結果の中の第１のビームグループの測定結果以外のビームグループの測定結果は、第２のビームグループの測定結果である。
【０１９８】
方式２：
【０１９９】
複数のビームグループのビームグループ番号において、
最大のビームグループ番号を伴うビームグループに対応するビームグループ測定結果を基準測定結果として選択し、または、
最小のビームグループ番号を伴うビームグループに対応するビームグループ測定結果を基準測定結果として選択し、または、
中間のビームグループ番号を伴うビームグループに対応するビームグループ測定結果を基準測定結果として選択し、中間のビームグループ番号を伴うビームグループは、複数のビームグループのビームグループ番号の中間にあるビームグループ番号に対応するビームグループである。
【０２００】
ＵＥは、複数のビームグループのビームグループ番号を決定するために、複数のビームグループのためのビームグループ番号を指定し得ることに留意されたい。代替として、基地局は、ＵＥのためのビームグループをグループ化し、ビームグループ番号を伝え得る。
【０２０１】
可能な実施形態では、第１のビームグループの測定結果を基準測定結果として使用することを表示情報が命令し、基準測定結果を決定するための方法が、最大の測定値を伴うビームグループに対応するビームグループ測定結果を選択することであるとき、ＵＥは、表示情報に基づいて、最大の測定値を伴うビームグループに対応するビームグループ測定結果を基準測定結果として決定する。
【０２０２】
別の可能な実施形態では、第１のビームグループの測定結果を基準測定結果として使用することを表示情報が命令し、基準測定結果を決定するための方法が、最小の測定値を伴うビームグループに対応するビームグループ測定結果を選択することであるとき、ＵＥは、表示情報に基づいて、最小の測定値を伴うビームグループに対応するビームグループ測定結果を基準測定結果として決定する。
【０２０３】
さらに別の可能な実施形態では、第１のビームグループの測定結果を基準測定結果として使用することを表示情報が命令し、基準測定結果を決定するための方法が、中間の測定値を伴うビームグループに対応するビームグループ測定結果を選択することであるとき、ＵＥは、表示情報に基づいて、中間の測定値を伴うビームグループに対応するビームグループ測定結果を基準測定結果として決定する。
【０２０４】
さらに別の可能な実施形態では、第１のビームグループの測定結果を基準測定結果として使用することを表示情報が命令し、基準測定結果を決定するための方法が、最大のビームグループ番号を伴うビームグループに対応するビームグループ測定結果を選択することであるとき、ＵＥは、表示情報に基づいて、最大のビームグループ番号を伴うビームグループに対応するビームグループ測定結果を基準測定結果として決定する。
【０２０５】
さらに別の可能な実施形態では、第１のビームグループの測定結果を基準測定結果として使用することを表示情報が命令し、基準測定結果を決定するための方法が、最小のビームグループ番号を伴うビームグループに対応するビームグループ測定結果を選択することであるとき、ＵＥは、表示情報に基づいて、最小のビームグループ番号を伴うビームグループに対応するビームグループ測定結果を基準測定結果として決定する。
【０２０６】
さらに別の可能な実施形態では、第１のビームグループの測定結果を基準測定結果として使用することを表示情報が命令し、基準測定結果を決定するための方法が、中間のビームグループ番号を伴うビームグループに対応するビームグループ測定結果を選択することであるとき、ＵＥは、表示情報に基づいて、中間のビームグループ番号を伴うビームグループに対応するビームグループ測定結果を基準測定結果として決定する。
【０２０７】
Ｓ２３０：ＵＥが、アップリンク制御情報ＵＣＩをＵＣＩの第１のフォーマットで基地局に送信する。
【０２０８】
第１のフォーマットでＵＥによって送信されるＵＣＩは、ビームグループの測定結果情報およびビームグループの情報のうちの少なくとも１つを含む。ビームグループは第１のビームグループおよび第２のビームグループを含み、ビームグループの測定結果情報は、第１のビームグループの測定結果および第１のビームグループの測定結果に対する第２のビームグループの測定結果のオフセットを含む。第１のビームグループの測定結果は基準測定結果である。ビームグループの情報は、第１のビームグループの測定結果および第２のビームグループの測定結果のうちの少なくとも１つに対応するビームグループを示すために使用され、ビームグループは１つまたは複数のビームグループである。
【０２０９】
可能な実施形態では、第１のフォーマットで送信されるＵＣＩは、ビームグループの情報を含む。具体的には、第１のフォーマットで送信されるＵＣＩは、第１のビームグループの識別子および第２のビームグループの識別子を含み、第１のビームグループの識別子は基準として使用される。
【０２１０】
実施形態では、ＵＣＩは第１のビームの識別子および第２のビームの識別子を収容し、第２のビームの識別子は第２のビームの識別子または第１のビームの識別子に対するオフセットである。１つまたは複数の第２のビームがあり得る。
【０２１１】
実施形態では、ＵＣＩは、第１のビームの測定結果および第２のビームの測定結果の各々に対応するビームの識別子を収容し、第１のビームの識別子は基準として使用される。
【０２１２】
別の可能な実施形態では、第１のフォーマットで送信されるＵＣＩは、ビームグループの測定結果情報を含む。具体的には、ビームグループの測定結果が属するビームグループの識別子に基づいてＵＣＩ報告の方式を決定することは、次のことを含み得る。
【０２１３】
方式１：第１のビームグループの測定結果、第１のビームグループの識別子、第２のビームグループの測定結果、および第２のビームグループの識別子、ここで第１のビームグループの識別子は明示的に示され、第２のビームグループの識別子は明示的に示される。
【０２１４】
方式２：第１のビームグループの測定結果、第１のビームグループの識別子、第２のビームグループの測定結果、および第２のビームグループの識別子、ここで第１のビームグループの識別子は暗黙的に示され、第２のビームグループの識別子は明示的に示される。
【０２１５】
方式３：第１のビームグループの測定結果、第１のビームグループの識別子、および第２のビームグループの測定結果、ここで第１のビームグループの識別子は明示的に示され、第２のビームグループの識別子は暗黙的に示される。
【０２１６】
方式４：第１のビームグループの測定結果、および第２のビームグループの測定結果、ここで第１のビームグループの識別子は暗黙的に示され、第２のビームグループの識別子は暗黙的に示される。
【０２１７】
前述の暗黙的な表示は、表示が必要ではないことを意味する。ビームグループとビームグループの測定結果との間の対応関係は、あらかじめ定められた方式またはデフォルトの方式で解析され得る。
【０２１８】
前述の方式１から方式４において：
【０２１９】
可能な実施形態では、第２のビームグループの識別子が明示的に示されるとき、第２のビームグループの識別子は第２のビームグループの識別子自体であり、または、第２のビームグループの識別子は第１のビームグループの識別子に対するオフセットである。
【０２２０】
たとえば、第２のビームグループの識別子が明示的に示され、第１のビームグループの識別子が「５」であるとき、第２のビームグループの識別子は「６」または「１」であり得る。
【０２２１】
この場合、第１のビームグループの識別子は、第１のビームグループに対応する基準測定結果に対応する。言い換えると、第１のビームグループの識別子は「５」であり、第１のビームグループに対応する基準測定結果に対応する識別子も「５」である。この場合、第２のビームグループの識別子は「６」であることがあり、第２のビームグループに対応する測定結果に対応する識別子も「６」であることがある。代替として、第２のビームグループの識別子は「１」であり、すなわち、第２のビームグループの識別子は第１のビームグループの識別子に対するオフセットであり、第２のビームグループに対応する測定結果に対応する識別子も「１」である。
【０２２２】
別の可能な実施形態では、第２のビームグループの識別子が暗黙的に示されるとき、ビームグループは、ビームグループ番号の昇順または降順で順番にソートされる。ＵＥは、複数のビームグループのビームグループ番号を決定するために、複数のビームグループのためのビームグループ番号を指定し得ることに留意されたい。代替として、基地局がビームグループ番号を伝え得る。たとえば、ビームグループ番号が１、２、３、…Ｍであるとき、ビームグループ１、２、３…Ｍは、報告のための１つのフォーマットで順番にソートされる。ビームグループ番号がｘ、ｘ＋１、…Ｎであるとき、ビームグループｘ、ｘ＋１、…Ｎは、報告のための１つのフォーマットで順番にソートされる。ビームグループ番号がＭ、Ｍ−１、…１であるとき、ビームグループＭ、Ｍ−１、…１は、報告のための１つのフォーマットで順番にソートされる。ビームグループ番号がＮ、Ｎ−１、…ｘであるとき、ビームグループＮ、Ｎ−１、…ｘは、報告のための１つのフォーマットで順番にソートされる。
【０２２３】
さらに別の可能な実施形態では、第２のビームグループの識別子が暗黙的に示されるとき、ビームグループは、ビームグループ番号の奇数または偶数の昇順で順番にソートされる。
【０２２４】
たとえば、ビームグループ番号が１、２、３、…Ｍであるとき、ビームグループ１、３、５、…Ｍ（Ｍが奇数である場合、最後のビームグループはビームグループＭであり、Ｍが偶数である場合、最後のビームグループはビームグループＭ−１である）は、報告のための１つのフォーマットで順番にソートされ、以下同様である。ビームグループ番号が１、２、３、…Ｍであるとき、ビームグループ２、４、６、…Ｍ（Ｍが偶数である場合、最後のビームグループはビームグループＭであり、Ｍが奇数である場合、最後のビームグループはビームグループＭ−１である）は、報告のための１つのフォーマットで順番にソートされ、以下同様である。
【０２２５】
さらに別の可能な実施形態では、第２のビームグループの識別子が暗黙的に示されるとき、ビームグループは、ビームグループ番号の奇数または偶数の降順で順番にソートされる。
【０２２６】
さらに別の可能な実施形態では、第２のビームグループの識別子が暗黙的に示されるとき、ビームグループは、あらかじめ設定されたソート方式、すなわち、あらかじめ設定された配列設計に対応する順序でソートされる。あらかじめ設定されたソート方式は、無線リソース制御ＲＲＣシグナリングまたは媒体アクセス制御シグナリングを使用することによって基地局からＵＥに送信され、または、あらかじめ設定されたソート方式は、事前構成を通じてＵＥ上で構成される。
【０２２７】
たとえば、ビームグループ番号が１、２、３、…Ｍであるとき、ビームグループ１、３、５、…Ｍに対して、あらかじめ設定された配列設計は、周波数ホッピング配列に従った順序付けられない設計であり得る。
【０２２８】
加えて、第１のフォーマットで送信されるＵＣＩは、ビームグループの測定結果情報およびビームグループの情報を含む。具体的には、ビームグループの測定結果に基づいてＵＣＩ報告の方式を決定することは、
第１のビームグループの測定結果、第１のビームグループの識別子、第２のビームグループの測定結果、および第２のビームグループの識別子を含むことがあり、ここで第１のビームグループの測定結果は基準測定結果であり、第１のビームグループの情報は明示的または暗黙的に示されることがあり、第２のビームグループの情報も明示的または暗黙的に示されることがある。
【０２２９】
可能な実施形態では、基準測定結果は、最大のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の降順または昇順で順番にソートされる。
【０２３０】
別の可能な実施形態では、基準測定結果は、最小のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の昇順または降順で順番にソートされる。
【０２３１】
さらに別の可能な実施形態では、基準測定結果は、中間のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、最小のビームグループ番号からのビームグループ番号の昇順であり、または最大のビームグループ番号からのビームグループ番号の降順であり、または中間のビームグループ番号から最大のビームグループ番号へのビームグループ番号の昇順でありそして中間のビームグループ番号から最小のビームグループ番号へのビームグループ番号の降順であり、または、中間のビームグループ番号から最小のビームグループ番号へのビームグループ番号の降順でありそして中間のビームグループ番号から最大のビームグループ番号へのビームグループ番号の昇順である。
【０２３２】
さらに別の可能な実施形態では、基準測定結果は、最大の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の降順または昇順で順番にソートされる。
【０２３３】
さらに別の可能な実施形態では、基準測定結果は、最小の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示され得るとき、基準測定結果に対する第２のビームグループの測定結果のオフセットは、ビームグループ番号の昇順または降順で順番にソートされ得る。
【０２３４】
さらに別の可能な実施形態では、基準測定結果は、中間の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の昇順または降順で順番にソートされる。
【０２３５】
さらに別の可能な実施形態では、あらかじめ設定された閾値より大きいビームグループの測定結果が報告される。あらかじめ設定された閾値は、無線リソース制御ＲＲＣシグナリングまたは媒体アクセス制御シグナリングを使用することによって基地局からＵＥに送信され、または、あらかじめ設定された閾値は、事前構成を通じてＵＥ上で構成される。ビームグループの識別子は明示的に示される。実施形態では、測定結果はあらかじめ設定されたソート方式でソートされて報告され、あらかじめ設定されたソート方式は、前述の方式の任意の逐次的なソート順序であり得る。
【０２３６】
たとえば、基準測定結果に対する測定結果のオフセットがあらかじめ設定された閾値より大きいとき、基準測定結果に対する測定結果のオフセットはあらかじめ設定されたソート方式でソートされ、または、測定結果が閾値より大きいとき、測定結果はあらかじめ設定されたソート方式でソートされる。
【０２３７】
前述の方法では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって基地局からＵＥに送信され、または、あらかじめ設定された閾値およびあらかじめ設定されたソート方式のうちの少なくとも１つが、ＵＥ上であらかじめ構成される。
【０２３８】
加えて、第１のフォーマットでＵＥによって送信されるＵＣＩは、測定のための基準信号、およびビームグループの測定結果を報告するための基礎として使用される基準信号のうちの少なくとも１つをさらに含み、基準信号は、同期信号、同期信号リソース識別子、チャネル状態情報基準信号ＣＳＩ−ＲＳ、およびＣＳＩ−ＲＳリソース識別子のうちの少なくとも１つを含む。ＵＥは代替として、基準信号を報告することをスキップすることがあり、表示情報において指定される基準信号に基づいて測定を実行する。
【０２３９】
基地局は、ＵＥによって送信されるＵＣＩに基づいてビームグループを処理し得る。
【０２４０】
前述の３つの可能なシナリオでは、第１のビームグループが複数のビームグループを含むとき、ＵＥは、平均化アルゴリズムを使用することによって複数のビームグループのうちの１つを基準として決定できることに留意されたい。
【０２４１】
上記の任意の事前設定、事前構成、または事前通知は、ＲＲＣシグナリングもしくはＭＡＣシグナリングを使用することによってネットワークデバイスによりＵＥに通知されることがあり、または前もってＵＥ上で指定されることがある。
【０２４２】
上で説明された識別子、番号、またはインデックスは等価であり交換可能である。
【０２４３】
図３は、本発明の実施形態による別のビームグループベースのデータ送信方法の概略フローチャートである。図３に示されるように、この実施形態はステップＳ３１０およびＳ３２０を含む。詳細が以下で与えられる。
【０２４４】
Ｓ３１０：ＵＥが、第１のビームグループを基準として使用すること、または第１のビームグループの測定結果を基準として使用することを決定する。
【０２４５】
具体的には、ＵＥは、各ビームを測定し、ビームをビームグループへとグループ化し、グループ化されたビームグループのためのビームグループ識別子およびビームグループの対応する測定結果を決定する。
【０２４６】
可能な実施形態では、ビームグループをグループ化することは、ＵＥが、同一の特性を収容するビームを１つのグループへとグループ化し、同一の特性を収容しない残りのビームを１つのグループへとグループ化することを意味する。同一の特性を収容しないビームに対して、１つだけのビームを伴うビームグループがあり得る。この場合、ビームグループは１つだけのビームを含む。同一の特性を収容するビームを１つのグループへとグループ化することは、同一のサブキャリア間隔を伴うビームを１つのビームグループへとグループ化するための、ビームが同一のサブキャリア間隔を有するかどうかに基づくビームグループ化であることがあり、または、同一の波形を伴うビームを１つのビームグループへとグループ化するための、ビームが同一の波形を有するかどうかに基づくビームグループ化であることがあり、または、近い測定値を伴うビームを１つのビームグループへとグループ化するための、ビームが近い測定値を有するかどうかに基づくビームグループ化であることがある。
【０２４７】
対応するビームグループの測定結果を決定することは、ビームの測定結果に基づいてビームグループの測定値を推測し、測定値と測定結果との間のマッピング関係または対応関係に基づいて、対応するビームグループの測定結果を取得することである。ビームの測定値に基づいてビームグループの測定値を推測することは、線形関数または非線形関数に基づいて推測することである。
【０２４８】
ＵＥによって第１のビームグループを決定する方式は次のことを含み得る：ＵＥは、最大のビームグループ番号を伴うビームグループを第１のビームグループとして決定し、または、ＵＥは最小のビームグループ番号を伴うビームグループを第１のビームグループとして決定し、または、ＵＥは中間のビームグループ番号を伴うビームグループを第１のビームグループとして決定する。
【０２４９】
別の可能な実施形態では、第１のビームグループが基準として使用され、第１のビームグループを決定するための方法が、最大のビームグループ番号を伴うビームグループを第１のビームグループとして選択することであるとき、ＵＥは、最大のビームグループ番号を伴うビームグループを第１のビームグループとして決定する。
【０２５０】
さらに別の可能な実施形態では、第１のビームグループが基準として使用され、第１のビームグループを決定するための方法が、最小のビームグループ番号を伴うビームグループを第１のビームグループとして選択することであるとき、ＵＥは、最小のビームグループ番号を伴うビームグループを第１のビームグループとして決定する。
【０２５１】
さらに別の可能な実施形態では、第１のビームグループが基準として使用され、第１のビームグループを決定するための方法が、中間のビームグループ番号を伴うビームグループを第１のビームグループとして選択することであるとき、ＵＥは、中間のビームグループ番号を伴うビームグループを第１のビームグループとして決定する。
【０２５２】
ＵＥによって第１のビームグループを決定する方式は次のことをさらに含み得る：ＵＥは、最大の測定値を伴うビームグループを第１のビームグループとして決定し、または、ＵＥは、最小の測定値を伴うビームグループを第１のビームグループとして決定し、または、ＵＥは、中間の測定値を伴うビームグループを第１のビームグループとして決定する。
【０２５３】
さらに別の可能な実施形態では、第１のビームグループが基準として使用され、第１のビームグループを決定するための方法が、最大の測定値を伴うビームグループを第１のビームグループとして選択することであるとき、ＵＥは、最大の測定値を伴うビームグループを第１のビームグループとして決定する。
【０２５４】
さらに別の可能な実施形態では、第１のビームグループが基準として使用され、第１のビームグループを決定するための方法が、最小の測定値を伴うビームグループを第１のビームグループとして選択することであるとき、ＵＥは、最小の測定値を伴うビームグループを第１のビームグループとして決定する。
【０２５５】
さらに別の可能な実施形態では、第１のビームグループが基準として使用され、第１のビームグループを決定するための方法が、中間の測定値を伴うビームグループを第１のビームグループとして選択することであるとき、ＵＥは、中間の測定値を伴うビームグループを第１のビームグループとして決定する。
【０２５６】
ＵＥは複数の方式で基準測定結果を決定することがあり、これらは具体的には以下の方式を含むことがある。
【０２５７】
方式１：
【０２５８】
複数のビームグループの測定値において、
最大の測定値を伴うビームグループに対応するビームグループ測定結果を基準測定結果として選択し、または、
最小の測定値を伴うビームグループに対応するビームグループ測定結果を基準測定結果として選択し、または、
中間の測定値を伴うビームグループに対応するビームグループ測定結果を基準測定結果として選択する。
【０２５９】
中間の測定値を決定するための方法は、複数の測定値に基づいて計算される平均値、もしくは最大の測定値と最小の測定値に基づいて計算される平均値に基づいて、複数のビームグループの測定値のうちの、中間の測定値を決定するステップ、または、複数のビームグループの測定値の中間にある値を中間の測定結果値として選択するステップを含む。
【０２６０】
第１のビームグループの決定の間に、複数のビームグループの中の第１のビームグループ以外のビームグループが第２のビームグループであり、第２のビームグループは複数のビームグループのうちの少なくとも１つを含み得ることに留意されたい。第１のビームグループの測定結果が基準測定結果として使用されることが決定されるとき、複数のビームグループの測定結果の中の第１のビームグループの測定結果以外のビームグループの測定結果は、第２のビームグループの測定結果である。
【０２６１】
方式２：
【０２６２】
複数のビームグループのビームグループ番号において、
最大のビームグループ番号を伴うビームグループに対応するビームグループ測定結果を基準測定結果として選択し、または、
最小のビームグループ番号を伴うビームグループに対応するビームグループ測定結果を基準測定結果として選択し、または、
中間のビームグループ番号を伴うビームグループに対応するビームグループ測定結果を基準測定結果として選択し、中間のビームグループ番号を伴うビームグループは、複数のビームグループのビームグループ番号の中間にあるビームグループ番号に対応するビームグループである。
【０２６３】
ＵＥは、複数のビームグループのビームグループ番号を決定するために、複数のビームグループのためのビームグループ番号を指定し得ることに留意されたい。代替として、基地局は、ＵＥのためのビームグループをグループ化し、ビームグループ番号を伝え得る。
【０２６４】
可能な実施形態では、第１のビームグループの測定結果が基準測定結果として使用され、基準測定結果を決定するための方法が、最大の測定値を伴うビームグループに対応するビームグループ測定結果を選択することであるとき、ＵＥは、最大の測定値を伴うビームグループに対応するビームグループ測定結果を基準測定結果として決定する。
【０２６５】
別の可能な実施形態では、第１のビームグループの測定結果が基準測定結果として使用され、基準測定結果を決定するための方法が、最小の測定値を伴うビームグループに対応するビームグループ測定結果を選択することであるとき、ＵＥは、最小の測定値を伴うビームグループに対応するビームグループ測定結果を基準測定結果として決定する。
【０２６６】
さらに別の可能な実施形態では、第１のビームグループの測定結果が基準測定結果として使用され、基準測定結果を決定するための方法が、中間の測定値を伴うビームグループに対応するビームグループ測定結果を選択することであるとき、ＵＥは、中間の測定値を伴うビームグループに対応するビームグループ測定結果を基準測定結果として決定する。
【０２６７】
さらに別の可能な実施形態では、第１のビームグループの測定結果が基準測定結果として使用され、基準測定結果を決定するための方法が、最大のビームグループ番号を伴うビームグループに対応するビームグループ測定結果を選択することであるとき、ＵＥは、最大のビームグループ番号を伴うビームグループに対応するビームグループ測定結果を基準測定結果として決定する。
【０２６８】
さらに別の可能な実施形態では、第１のビームグループの測定結果が基準測定結果として使用され、基準測定結果を決定するための方法が、最小のビームグループ番号を伴うビームグループに対応するビームグループ測定結果を選択することであるとき、ＵＥは、最小のビームグループ番号を伴うビームグループに対応するビームグループ測定結果を基準測定結果として決定する。
【０２６９】
さらに別の可能な実施形態では、第１のビームグループの測定結果が基準測定結果として使用され、基準測定結果を決定するための方法が、中間のビームグループ番号を伴うビームグループに対応するビームグループ測定結果を選択することであるとき、ＵＥは、中間のビームグループ番号を伴うビームグループに対応するビームグループ測定結果を基準測定結果として決定する。
【０２７０】
Ｓ３２０：ＵＥが、アップリンク制御情報ＵＣＩをＵＣＩの第１のフォーマットで基地局に送信する。
【０２７１】
第１のフォーマットでＵＥによって送信されるＵＣＩは、ビームグループの測定結果情報およびビームグループの情報のうちの少なくとも１つを含む。ビームグループは第１のビームグループおよび第２のビームグループを含み、ビームグループの測定結果情報は、第１のビームグループの測定結果および第１のビームグループの測定結果に対する第２のビームグループの測定結果のオフセットを含む。第１のビームグループの測定結果は基準測定結果である。ビームグループの情報は、第１のビームグループの測定結果および第２のビームグループの測定結果のうちの少なくとも１つに対応するビームグループを示すために使用され、ビームグループは１つまたは複数のビームグループである。
【０２７２】
可能な実施形態では、第１のフォーマットで送信されるＵＣＩは、ビームグループの情報を含む。具体的には、第１のフォーマットで送信されるＵＣＩは、第１のビームグループの識別子および第２のビームグループの識別子を含み、第１のビームグループの識別子は基準として使用される。
【０２７３】
実施形態では、ＵＣＩは第１のビームの識別子および第２のビームの識別子を収容し、第２のビームの識別子は第２のビームの識別子または第１のビームの識別子に対するオフセットである。１つまたは複数の第２のビームがあり得る。
【０２７４】
実施形態では、ＵＣＩは、第１のビームの測定結果および第２のビームの測定結果の各々に対応するビームの識別子を収容し、第１のビームの識別子は基準として使用される。
【０２７５】
別の可能な実施形態では、第１のフォーマットで送信されるＵＣＩは、ビームグループの測定結果情報を含む。具体的には、ビームグループの測定結果に属するビームグループの識別子に基づいてＵＣＩの報告の方式を決定することは、次のことを含み得る。
【０２７６】
方式１：第１のビームグループの測定結果、第１のビームグループの識別子、第２のビームグループの測定結果、および第２のビームグループの識別子、ここで第１のビームグループの識別子は明示的に示され、第２のビームグループの識別子は明示的に示される。
【０２７７】
方式２：第１のビームグループの測定結果、第１のビームグループの識別子、第２のビームグループの測定結果、および第２のビームグループの識別子、ここで第１のビームグループの識別子は暗黙的に示され、第２のビームグループの識別子は明示的に示される。
【０２７８】
方式３：第１のビームグループの測定結果、第１のビームグループの識別子、および第２のビームグループの測定結果、ここで第１のビームグループの識別子は明示的に示され、第２のビームグループの識別子は暗黙的に示される。
【０２７９】
方式４：第１のビームグループの測定結果、および第２のビームグループの測定結果、ここで第１のビームグループの識別子は暗黙的に示され、第２のビームグループの識別子は暗黙的に示される。
【０２８０】
前述の暗黙的な表示は、表示が必要ではないことを意味する。ビームグループとビームグループの測定結果との間の対応関係は、あらかじめ定められた方式またはデフォルトの方式で解析され得る。
【０２８１】
前述の方式１から方式４において：
【０２８２】
可能な実施形態では、第２のビームグループの識別子が明示的に示されるとき、第２のビームグループの識別子は第２のビームグループ自体の識別子であり、または、第２のビームグループの識別子は第１のビームグループの識別子に対するオフセットである。
【０２８３】
たとえば、第２のビームグループの識別子が明示的に示され、第１のビームグループの識別子が「５」であるとき、第２のビームグループの識別子は「６」または「１」であり得る。
【０２８４】
この場合、第１のビームグループの識別子は、第１のビームグループに対応する基準測定結果に対応する。言い換えると、第１のビームグループの識別子は「５」であり、第１のビームグループに対応する基準測定結果に対応する識別子も「５」である。この場合、第２のビームグループの識別子は「６」であり、第２のビームグループに対応する基準測定結果に対応する識別子も「６」である。代替として、第２のビームグループの識別子は「１」であり、すなわち、第２のビームグループの識別子は第１のビームグループの識別子に対するオフセットであり、第２のビームグループに対応する測定結果に対応する識別子も「１」である。
【０２８５】
別の可能な実施形態では、第２のビームグループの識別子が暗黙的に示されるとき、ビームグループは、ビームグループ番号の昇順または降順で順番にソートされる。ＵＥは、複数のビームグループのビームグループ番号を決定するために、複数のビームグループのためのビームグループ番号を指定し得ることに留意されたい。代替として、基地局がビームグループ番号を伝え得る。たとえば、ビームグループ番号が１、２、３、…Ｍであるとき、ビームグループ１、２、３…Ｍは、報告のための１つのフォーマットで順番にソートされる。ビームグループ番号がｘ、ｘ＋１、…Ｎであるとき、ビームグループｘ、ｘ＋１、…Ｎは、報告のための１つのフォーマットで順番にソートされる。ビームグループ番号がＭ、Ｍ−１、…１であるとき、ビームグループＭ、Ｍ−１、…１は、報告のための１つのフォーマットで順番にソートされる。ビームグループ番号がＮ、Ｎ−１、…ｘであるとき、ビームグループＮ、Ｎ−１、…ｘは、報告のための１つのフォーマットで順番にソートされる。
【０２８６】
さらに別の可能な実施形態では、第２のビームグループの識別子が暗黙的に示されるとき、ビームグループは、ビームグループ番号の奇数または偶数の昇順で順番にソートされる。
【０２８７】
たとえば、ビームグループ番号が１、２、３、…Ｍであるとき、ビームグループ１、３、５、…Ｍ（Ｍが奇数である場合、最後のビームグループはビームグループＭであり、Ｍが偶数である場合、最後のビームグループはビームグループＭ−１である）は、報告のための１つのフォーマットで順番にソートされ、以下同様である。ビームグループ番号が１、２、３、…Ｍであるとき、ビームグループ２、４、６、…Ｍ（Ｍが偶数である場合、最後のビームグループはビームグループＭであり、Ｍが奇数である場合、最後のビームグループはビームグループＭ−１である）は、報告のための１つのフォーマットで順番にソートされ、以下同様である。
【０２８８】
さらに別の可能な実施形態では、第２のビームグループの識別子が暗黙的に示されるとき、ビームグループは、ビームグループ番号の奇数または偶数の降順で順番にソートされる。
【０２８９】
さらに別の可能な実施形態では、第２のビームグループの識別子が暗黙的に示されるとき、ビームグループは、あらかじめ設定されたソート方式、すなわち、あらかじめ設定された配列設計に対応する順序でソートされる。あらかじめ設定されたソート方式は、無線リソース制御ＲＲＣシグナリングまたは媒体アクセス制御シグナリングを使用することによって基地局からＵＥに送信され、または、あらかじめ設定されたソート方式は、事前構成を通じてＵＥ上で構成される。
【０２９０】
たとえば、ビームグループ番号が１、２、３、…Ｍであるとき、ビームグループ１、３、５、…Ｍに対して、あらかじめ設定された配列設計は、周波数ホッピング配列に従った順序付けられない設計であり得る。
【０２９１】
加えて、第１のフォーマットで送信されるＵＣＩは、ビームグループの測定結果情報およびビームグループの情報を含む。具体的には、ビームグループの測定結果に基づいてＵＣＩ報告の方式を決定することは、
第１のビームグループの測定結果、第１のビームグループの識別子、第２のビームグループの測定結果、および第２のビームグループの識別子を含むことがあり、ここで第１のビームグループの測定結果は基準測定結果であり、第１のビームグループの情報は明示的または暗黙的に示されることがあり、第２のビームグループの情報も明示的または暗黙的に示されることがある。
【０２９２】
可能な実施形態では、基準測定結果は、最大のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の降順または昇順で順番にソートされる。
【０２９３】
別の可能な実施形態では、基準測定結果は、最小のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の昇順または降順で順番にソートされる。
【０２９４】
さらに別の可能な実施形態では、基準測定結果は、中間のビームグループ番号を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、最小のビームグループ番号からのビームグループ番号の昇順であり、または最大のビームグループ番号からのビームグループ番号の降順であり、または中間のビームグループ番号から最大のビームグループ番号へのビームグループ番号の昇順でありそして中間のビームグループ番号から最小のビームグループ番号へのビームグループ番号の降順であり、または、中間のビームグループ番号から最小のビームグループ番号へのビームグループ番号の降順でありそして中間のビームグループ番号から最大のビームグループ番号へのビームグループ番号の昇順である。
【０２９５】
さらに別の可能な実施形態では、基準測定結果は、最大の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の降順または昇順で順番にソートされる。
【０２９６】
さらに別の可能な実施形態では、基準測定結果は、最小の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示され得るとき、基準測定結果に対する第２のビームグループの測定結果のオフセットは、ビームグループ番号の昇順または降順で順番にソートされ得る。
【０２９７】
さらに別の可能な実施形態では、基準測定結果は、中間の測定値を伴うビームグループに対応するビームグループ測定結果である。第１のビームグループの識別子は、明示的または暗黙的に示され得る。第１のビームグループの識別子が明示的に示されるとき、第１のビームグループの識別子は第１のビームグループのインデックスである。第２のビームグループの識別子は、明示的または暗黙的に示され得る。第２のビームグループの識別子が暗黙的に示されるとき、基準測定結果に対する第２のビームグループの測定結果のオフセットは、ビームグループ番号の昇順または降順で順番にソートされる。
【０２９８】
さらに別の可能な実施形態では、あらかじめ設定された閾値より大きいビームグループの測定結果が報告される。あらかじめ設定された閾値は、無線リソース制御ＲＲＣシグナリングまたは媒体アクセス制御シグナリングを使用することによって基地局からＵＥに送信され、または、あらかじめ設定された閾値は、事前構成を通じてＵＥ上で構成される。ビームグループの識別子は明示的に示される。実施形態では、測定結果はあらかじめ設定されたソート方式でソートされて報告され、あらかじめ設定されたソート方式は、前述の方式の任意の逐次的なソート順序であり得る。
【０２９９】
たとえば、基準測定結果に対する測定結果のオフセットがあらかじめ設定された閾値より大きいとき、基準測定結果に対する測定結果のオフセットはあらかじめ設定されたソート方式でソートされ、または、測定結果が閾値より大きいとき、測定結果はあらかじめ設定されたソート方式でソートされる。
【０３００】
前述の方法では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって基地局からＵＥに送信され、または、あらかじめ設定された閾値およびあらかじめ設定されたソート方式のうちの少なくとも１つが、ＵＥ上であらかじめ構成される。
【０３０１】
加えて、第１のフォーマットでＵＥによって送信されるＵＣＩは、測定のための基準信号、またはビームグループの測定結果を報告するための基礎として使用される基準信号のうちの少なくとも１つをさらに含み、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０３０２】
基地局は、ＵＥによって送信されるＵＣＩに基づいてビームグループを処理し得る。
【０３０３】
前述の３つの可能なシナリオでは、第１のビームグループが複数のビームグループを含むとき、ＵＥは、平均化アルゴリズムを使用することによって複数のビームグループのうちの１つを基準として決定できることに留意されたい。
【０３０４】
上記の任意の事前設定、事前構成、または事前通知は、ＲＲＣシグナリングもしくはＭＡＣシグナリングを使用することによってネットワークデバイスによりＵＥに通知されることがあり、または前もってＵＥ上で指定されることがある。
【０３０５】
上で説明された識別子、番号、またはインデックスは等価であり交換可能である。
【０３０６】
図４は、本発明の実施形態によるビームベースのデータ送信方法の概略フローチャートである。図４は、少なくとも１つのビームのうちの第１のビームと、第１のビームの測定結果とのうちの少なくとも１つを、ＵＥがアップリンク制御情報ＵＣＩ報告のための基準として使用する例を使用する。図４に示されるように、この実施形態はステップＳ４１０からＳ４３０を含む。詳細が以下で与えられる。
【０３０７】
Ｓ４１０：ＵＥが表示情報を取得する。
【０３０８】
具体的には、ＵＥは、基地局から表示情報を受信することによって、または、ＵＥについてあらかじめ構成される情報に基づいて表示情報を取得することによって、表示情報を取得し得る。表示情報は、以下の内容のうちの任意の１つまたは複数を含み得る。以下の内容のうちの任意の１つまたは複数が基地局から取得されることがあり、残りはあらかじめ構成されることに留意されたい。
【０３０９】
表示情報は、ビームベースの報告を実行するかどうかをＵＥに命令するために使用され得る。
【０３１０】
表示情報はさらに、同一の特性を伴うビームを１つのグループへとグループ化するかどうかをＵＥに命令するために使用され得る。同一の特性は、同一のサブキャリア間隔、同一の波形、または１つのグループへとグループ化され得る測定値のうちの任意の１つまたは複数であり得る。
【０３１１】
表示情報は、ＵＣＩ報告のための基準として第１のビームを使用するか、またはＵＣＩ報告のための基準として第１のビームの測定結果を使用するかをＵＥに命令するためにさらに使用されることがあり、第１のビームの測定結果は基準測定結果である。第１のビームを基準として使用すると決定するための方法は次のことを含み得る：第１のビームは、最大のビーム番号を伴うビーム、または最小のビーム番号を伴うビーム、または中間のビーム番号を伴うビームであり得る。第１のビームは代替として、最大の測定値を伴うビーム、または最小の測定値を伴うビーム、または中間の測定値を伴うビームであり得る。第１のビームの測定結果を基準測定結果として使用すると決定するための方法は次のことを含み得る：第１のビームの測定結果は、最大のビーム番号を伴うビームの測定結果、または最小のビーム番号を伴うビームの測定結果、または中間のビーム番号を伴うビームの測定結果であり得る。第１のビームの測定結果は、最大の測定値を伴うビームに対応するビーム測定結果、または最小の測定値を伴うビームに対応するビーム測定結果、または中間の測定値を伴うビームに対応するビーム測定結果であり得る。測定値は測定結果に対応する値であることがあり、または、測定値はマッピング関係に基づいて対応する測定結果を取得するために使用されることがある。中間の測定値を決定するための方法は、複数の測定値に基づいて計算される平均値、もしくは最大の測定値と最小の測定値に基づいて計算される平均値に基づいて、複数のビームの測定値のうちの、中間の測定値を決定するステップ、または、複数のビームの測定値の中間にある値を中間の測定結果値として選択するステップを含む。
【０３１２】
表示情報は、ビームの識別子が明示的に示されること、または暗黙的に示されることを、第１のフォーマットでＵＥによって送信されるＵＣＩが含むことを示すために、さらに使用され得る。
【０３１３】
第１のビームを基準として使用することをＵＥに命令するために表示情報が使用されるとき、表示情報はさらに、第１のビームを決定するための方法を含み得る。
【０３１４】
第１のビームの測定結果を基準として使用することをＵＥに命令するために表示情報が使用されるとき、表示情報はさらに、第１のビームの測定結果を基準測定結果として決定するための方法を含み得る。
【０３１５】
表示情報は、ＵＣＩがビームグループの識別子を含むか、またはビームグループの識別子のみを収容するかを示すためにさらに使用される。
【０３１６】
ビームの測定結果に対応するビームの識別子が明示的に示されること、または暗黙的に示されることを示すために、表示情報がさらに使用される。
【０３１７】
表示情報は、第１のフォーマットでＵＥによって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【０３１８】
表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０３１９】
表示情報は、無線リソース制御（ｒａｄｉｏ  ｒｅｓｏｕｒｃｅ  ｃｏｎｔｒｏｌ、ＲＲＣ）シグナリング、媒体アクセス制御（ｍｅｄｉａ  ａｃｃｅｓｓ  ｃｏｎｔｒｏｌ、ＭＡＣ）シグナリング、および物理レイヤシグナリングのうちの少なくとも１つを使用することによって示され得る。
【０３２０】
Ｓ４２０：ＵＥが、表示情報に基づいて、第１のビームを基準として使用すること、または第１のビームの測定結果を基準として使用することを決定する。
【０３２１】
具体的には、ＵＥは、各ビームを測定し、ビームグループ化を実行し、グループ化されたビームのためのビーム識別子および対応するビームの測定結果を決定する。
【０３２２】
可能な実施形態では、ビームグループ化は、ＵＥが、表示情報に基づいて、同一の特性を収容するビームを１つのグループへとグループ化し、同一の特性を収容しない残りのビームを１つのグループへとグループ化することを意味する。同一の特性を収容しないビームに対して、１つだけのビームを伴うビームがあり得る。この場合、ビームは１つだけのビームを含む。同一の特性を収容するビームを１つのグループへとグループ化することは、同一のサブキャリア間隔を伴うビームを１つのビームへとグループ化するための、ビームが同一のサブキャリア間隔を有するかどうかに基づくビームグループ化であることがあり、または、同一の波形を伴うビームを１つのビームへとグループ化するための、ビームが同一の波形を有するかどうかに基づくビームグループ化であることがあり、または、近い測定値を伴うビームを１つのビームへとグループ化するための、ビームが近い測定値を有するかどうかに基づくビームグループ化であることがある。
【０３２３】
対応するビームの測定結果を決定することは、ビームの測定値に基づいてビームの測定値を推測し、測定値と測定結果との間のマッピング関係または対応関係に基づいて、対応するビームの測定結果を取得することである。ビームの測定値に基づいてビームの測定値を推測することは、線形関数または非線形関数に基づいて推測することである。
【０３２４】
ＵＥによって第１のビームを決定する方式は次のことを含み得る：ＵＥは、最大のビーム番号を伴うビームを第１のビームとして決定し、または、ＵＥは最小のビーム番号を伴うビームを第１のビームとして決定し、または、ＵＥは中間のビーム番号を伴うビームを第１のビームとして決定する。
【０３２５】
別の可能な実施形態では、第１のビームを基準として使用することを表示情報が命令し、第１のビームを決定するための方法が、最大のビーム番号を伴うビームを第１のビームとして選択することであるとき、ＵＥは、表示情報に基づいて最大のビーム番号を伴うビームを第１のビームとして決定する。
【０３２６】
さらに別の可能な実施形態では、第１のビームを基準として使用することを表示情報が命令し、第１のビームを決定するための方法が、最小のビーム番号を伴うビームを第１のビームとして選択することであるとき、ＵＥは、表示情報に基づいて最小のビーム番号を伴うビームを第１のビームとして決定する。
【０３２７】
さらに別の可能な実施形態では、第１のビームを基準として使用することを表示情報が命令し、第１のビームを決定するための方法が、中間のビーム番号を伴うビームを第１のビームとして選択することであるとき、ＵＥは、表示情報に基づいて中間のビーム番号を伴うビームを第１のビームとして決定する。
【０３２８】
ＵＥによって第１のビームを決定する方式は次のことをさらに含み得る：ＵＥは、最大の測定値を伴うビームを第１のビームとして決定し、または、ＵＥは、最小の測定値を伴うビームを第１のビームとして決定し、または、ＵＥは、中間の測定値を伴うビームを第１のビームとして決定する。
【０３２９】
さらに別の可能な実施形態では、第１のビームを基準として使用することを表示情報が命令し、第１のビームを決定するための方法が、最大の測定値を伴うビームを第１のビームとして選択することであるとき、ＵＥは、表示情報に基づいて最大の測定値を伴うビームを第１のビームとして決定する。
【０３３０】
さらに別の可能な実施形態では、第１のビームを基準として使用することを表示情報が命令し、第１のビームを決定するための方法が、最小の測定値を伴うビームを第１のビームとして選択することであるとき、ＵＥは、表示情報に基づいて最小の測定値を伴うビームを第１のビームとして決定する。
【０３３１】
さらに別の可能な実施形態では、第１のビームを基準として使用することを表示情報が命令し、第１のビームを決定するための方法が、中間の測定値を伴うビームを第１のビームとして選択することであるとき、ＵＥは、表示情報に基づいて中間の測定値を伴うビームを第１のビームとして決定する。
【０３３２】
ＵＥは複数の方式で基準測定結果を決定することがあり、これらは具体的には以下の方式を含むことがある。
【０３３３】
方式１：
【０３３４】
複数のビームの測定値において、
最大の測定値を伴うビームに対応するビーム測定結果を基準測定結果として選択し、または、
最小の測定値を伴うビームに対応するビーム測定結果を基準測定結果として選択し、または、
中間の測定値を伴うビームに対応するビーム測定結果を基準測定結果として選択する。
【０３３５】
中間の測定値を決定するための方法は、複数の測定値に基づいて計算される平均値、もしくは最大の測定値と最小の測定値に基づいて計算される平均値に基づいて、複数のビームの測定値のうちの、中間の測定値を決定するステップ、または、複数のビームの測定値の中間にある値を中間の測定結果値として選択するステップを含む。
【０３３６】
第１のビームの決定の間に、複数のビームの中の第１のビーム以外のビームが第２のビームであり、第２のビームは複数のビームのうちの少なくとも１つを含み得ることに留意されたい。第１のビームの測定結果が基準測定結果として使用されることが決定されるとき、複数のビームの測定結果の中の第１のビームの測定結果以外のビームの測定結果は、第２のビームの測定結果である。
【０３３７】
方式２：
【０３３８】
複数のビームのビーム番号において、
最大のビーム番号を伴うビームに対応するビーム測定結果を基準測定結果として選択し、または、
最小のビーム番号を伴うビームに対応するビーム測定結果を基準測定結果として選択し、または、
中間のビーム番号を伴うビームに対応するビーム測定結果を基準測定結果として選択し、中間のビーム番号を伴うビームは、複数のビームのビーム番号の中間にあるビーム番号に対応するビームである。
【０３３９】
ＵＥは、複数のビームのビーム番号を決定するために、複数のビームのためのビーム番号を指定し得ることに留意されたい。代替として、基地局は、ＵＥのためのビームグループ化を実行し、ビーム番号を伝え得る。
【０３４０】
可能な実施形態では、第１のビームの測定結果を基準測定結果として使用することを表示情報が命令し、基準測定結果を決定するための方法が、最大の測定値を伴うビームに対応するビーム測定結果を選択することであるとき、ＵＥは、表示情報に基づいて、最大の測定値を伴うビームに対応するビーム測定結果を基準測定結果として決定する。
【０３４１】
別の可能な実施形態では、第１のビームの測定結果を基準測定結果として使用することを表示情報が命令し、基準測定結果を決定するための方法が、最小の測定値を伴うビームに対応するビーム測定結果を選択することであるとき、ＵＥは、表示情報に基づいて、最小の測定値を伴うビームに対応するビーム測定結果を基準測定結果として決定する。
【０３４２】
さらに別の可能な実施形態では、第１のビームの測定結果を基準測定結果として使用することを表示情報が命令し、基準測定結果を決定するための方法が、中間の測定値を伴うビームに対応するビーム測定結果を選択することであるとき、ＵＥは、表示情報に基づいて、中間の測定値を伴うビームに対応するビーム測定結果を基準測定結果として決定する。
【０３４３】
さらに別の可能な実施形態では、第１のビームの測定結果を基準測定結果として使用することを表示情報が命令し、基準測定結果を決定するための方法が、最大のビーム番号を伴うビームに対応するビーム測定結果を選択することであるとき、ＵＥは、表示情報に基づいて、最大のビーム番号を伴うビームに対応するビーム測定結果を基準測定結果として決定する。
【０３４４】
さらに別の可能な実施形態では、第１のビームの測定結果を基準測定結果として使用することを表示情報が命令し、基準測定結果を決定するための方法が、最小のビーム番号を伴うビームに対応するビーム測定結果を選択することであるとき、ＵＥは、表示情報に基づいて、最小のビーム番号を伴うビームに対応するビーム測定結果を基準測定結果として決定する。
【０３４５】
さらに別の可能な実施形態では、第１のビームの測定結果を基準測定結果として使用することを表示情報が命令し、基準測定結果を決定するための方法が、中間のビーム番号を伴うビームに対応するビーム測定結果を選択することであるとき、ＵＥは、表示情報に基づいて、中間のビーム番号を伴うビームに対応するビーム測定結果を基準測定結果として決定する。
【０３４６】
Ｓ４３０：ＵＥが、アップリンク制御情報ＵＣＩをＵＣＩの第１のフォーマットで基地局に送信する。
【０３４７】
第１のフォーマットでＵＥによって送信されるＵＣＩは、ビームの測定結果情報およびビームの情報のうちの少なくとも１つを含む。ビームは第１のビームおよび第２のビームを含み、ビームの測定結果情報は、第１のビームの測定結果および第１のビームの測定結果に対する第２のビームの測定結果のオフセットを含む。第１のビームの測定結果は基準測定結果である。ビームの情報は、第１のビームの測定結果および第２のビームの測定結果のうちの少なくとも１つに対応するビームを示すために使用され、ビームは１つまたは複数のビームである。
【０３４８】
可能な実施形態では、第１のフォーマットで送信されるＵＣＩは、ビームの情報を含む。具体的には、第１のフォーマットで送信されるＵＣＩは、第１のビームの識別子および第２のビームの識別子を含み、第１のビームの識別子は基準として使用される。
【０３４９】
実施形態では、ＵＣＩは第１のビームの識別子および第２のビームの識別子を収容し、第２のビームの識別子は第２のビームの識別子または第１のビームの識別子に対するオフセットである。１つまたは複数の第２のビームがあり得る。
【０３５０】
実施形態では、ＵＣＩは、第１のビームの測定結果および第２のビームの測定結果の各々に対応するビームの識別子を収容し、第１のビームの識別子は基準として使用される。
【０３５１】
別の可能な実施形態では、第１のフォーマットで送信されるＵＣＩは、ビームの測定結果情報を含む。具体的には、ビームの測定結果が属するビームの識別子に基づいてＵＣＩ報告の方式を決定することは、次のことを含み得る。
【０３５２】
方式１：第１のビームの測定結果、第１のビームの識別子、第２のビームの測定結果、および第２のビームの識別子、ここで第１のビームの識別子は明示的に示され、第２のビームの識別子は明示的に示される。
【０３５３】
方式２：第１のビームの測定結果、第１のビームの識別子、第２のビームの測定結果、および第２のビームの識別子、ここで第１のビームの識別子は暗黙的に示され、第２のビームの識別子は明示的に示される。
【０３５４】
方式３：第１のビームの測定結果、第１のビームの識別子、および第２のビームの測定結果、ここで第１のビームの識別子は明示的に示され、第２のビームの識別子は暗黙的に示される。
【０３５５】
方式４：第１のビームの測定結果、および第２のビームの測定結果、ここで第１のビームの識別子は暗黙的に示され、第２のビームの識別子は暗黙的に示される。
【０３５６】
前述の暗黙的な表示は、表示が必要ではないことを意味する。ビームとビームの測定結果との間の対応関係は、あらかじめ定められた方式またはデフォルトの方式で解析され得る。
【０３５７】
前述の方式１から方式４において：
【０３５８】
可能な実施形態では、第２のビームの識別子が明示的に示されるとき、第２のビームの識別子は第２のビーム自体の識別子であり、または、第２のビームの識別子は第１のビームの識別子に対するオフセットである。
【０３５９】
たとえば、第２のビームの識別子が明示的に示され、第１のビームの識別子が「５」であるとき、第２のビームの識別子は「６」または「１」であり得る。
【０３６０】
この場合、第１のビームの識別子は、第１のビームに対応する基準測定結果に対応する。言い換えると、第１のビームの識別子は「５」であり、第１のビームに対応する基準測定結果に対応する識別子も「５」である。この場合、第２のビームの識別子は「６」であることがあり、第２のビームに対応する測定結果に対応する識別子も「６」であることがある。代替として、第２のビームの識別子は「１」であり、すなわち、第２のビームの識別子は第１のビームの識別子に対するオフセットであり、第２のビームに対応する測定結果に対応する識別子も「１」である。
【０３６１】
別の可能な実施形態では、第２のビームの識別子が暗黙的に示されるとき、ビームは、ビーム番号の昇順または降順で順番にソートされる。ＵＥは、複数のビームのビーム番号を決定するために、複数のビームのためのビーム番号を指定し得ることに留意されたい。代替として、基地局がビーム番号を伝え得る。たとえば、ビーム番号が１、２、３、…Ｍであるとき、ビームグループ１、２、３…Ｍは、報告のための１つのフォーマットで順番にソートされる。ビーム番号がｘ、ｘ＋１、…Ｎであるとき、ビームグループｘ、ｘ＋１、…Ｎは、報告のための１つのフォーマットで順番にソートされる。ビーム番号がＭ、Ｍ−１、…１であるとき、ビームグループＭ、Ｍ−１、…１は、報告のための１つのフォーマットで順番にソートされる。ビーム番号がＮ、Ｎ−１、…ｘであるとき、ビームグループＮ、Ｎ−１、…ｘは、報告のための１つのフォーマットで順番にソートされる。
【０３６２】
さらに別の可能な実施形態では、第２のビームの識別子が暗黙的に示されるとき、ビームは、ビーム番号の奇数または偶数の昇順で順番にソートされる。
【０３６３】
たとえば、ビーム番号が１、２、３、…Ｍであるとき、ビームグループ１、３、５、…Ｍ（Ｍが奇数である場合、最後のビームグループはビームグループＭであり、Ｍが偶数である場合、最後のビームグループはビームグループＭ−１である）は、報告のための１つのフォーマットで順番にソートされ、以下同様である。ビーム番号が１、２、３、…Ｍであるとき、ビームグループ２、４、６、…Ｍ（Ｍが偶数である場合、最後のビームグループはビームグループＭであり、Ｍが奇数である場合、最後のビームグループはビームグループＭ−１である）は、報告のための１つのフォーマットで順番にソートされ、以下同様である。
【０３６４】
さらに別の可能な実施形態では、第２のビームの識別子が暗黙的に示されるとき、ビームは、ビーム番号の奇数または偶数の降順で順番にソートされる。
【０３６５】
さらに別の可能な実施形態では、第２のビームの識別子が暗黙的に示されるとき、ビームは、あらかじめ設定されたソート方式、すなわち、あらかじめ設定された配列設計に対応する順序でソートされる。あらかじめ設定されたソート方式は、無線リソース制御ＲＲＣシグナリングまたは媒体アクセス制御シグナリングを使用することによって基地局からＵＥに送信され、または、あらかじめ設定されたソート方式は、事前構成を通じてＵＥ上で構成される。
【０３６６】
たとえば、ビーム番号が１、２、３、…Ｍであるとき、ビームグループ１、３、５、…Ｍに対して、あらかじめ設定された配列設計は、周波数ホッピング配列に従った順序付けられない設計であり得る。
【０３６７】
加えて、第１のフォーマットで送信されるＵＣＩは、ビームの測定結果情報およびビームの情報を含む。具体的には、ビームの測定結果に基づいてＵＣＩ報告の方式を決定することは、
第１のビームの測定結果、第１のビームの識別子、第２のビームの測定結果、および第２のビームの識別子を含むことがあり、ここで第１のビームの測定結果は基準測定結果であり、第１のビームの情報は明示的または暗黙的に示されることがあり、第２のビームの情報も明示的または暗黙的に示されることがある。
【０３６８】
可能な実施形態では、基準測定結果は、最大のビーム番号を伴うビームに対応するビーム測定結果である。第１のビームの識別子は、明示的または暗黙的に示され得る。第１のビームの識別子が明示的に示され、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の降順または昇順で順番にソートされる。
【０３６９】
別の可能な実施形態では、基準測定結果は、最小のビーム番号を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の昇順または降順で順番にソートされる。
【０３７０】
さらに別の可能な実施形態では、基準測定結果は、中間のビーム番号を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、最小のビーム番号からのビーム番号の昇順であり、または最大のビーム番号からのビーム番号の降順であり、または中間のビーム番号から最大のビーム番号へのビーム番号の昇順でありそして中間のビーム番号から最小のビーム番号へのビーム番号の降順であり、または、中間のビーム番号から最小のビーム番号へのビーム番号の降順でありそして中間のビーム番号から最大のビーム番号へのビーム番号の昇順である。
【０３７１】
さらに別の可能な実施形態では、基準測定結果は、最大の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の降順または昇順で順番にソートされる。
【０３７２】
さらに別の可能な実施形態では、基準測定結果は、最小の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示され得るとき、基準測定結果に対する第２のビームの測定結果のオフセットは、ビーム番号の昇順または降順で順番にソートされる。
【０３７３】
さらに別の可能な実施形態では、基準測定結果は、中間の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の昇順または降順で順番にソートされる。
【０３７４】
さらに別の可能な実施形態では、あらかじめ設定された閾値より大きいビームの測定結果が報告される。あらかじめ設定された閾値は、無線リソース制御ＲＲＣシグナリングまたは媒体アクセス制御シグナリングを使用することによって基地局からＵＥに送信され、または、あらかじめ設定された閾値は、事前構成を通じてＵＥ上で構成される。ビームの識別子は明示的に示される。実施形態では、測定結果はあらかじめ設定されたソート方式でソートされて報告され、あらかじめ設定されたソート方式は、前述の方式の任意の逐次的なソート順序であり得る。
【０３７５】
たとえば、基準測定結果に対する測定結果のオフセットがあらかじめ設定された閾値より大きいとき、基準測定結果に対する測定結果のオフセットはあらかじめ設定されたソート方式でソートされ、または、測定結果が閾値より大きいとき、測定結果はあらかじめ設定されたソート方式でソートされる。
【０３７６】
前述の方法では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって基地局からＵＥに送信され、または、あらかじめ設定された閾値およびあらかじめ設定されたソート方式のうちの少なくとも１つが、ＵＥ上であらかじめ構成される。
【０３７７】
加えて、第１のフォーマットでＵＥによって送信されるＵＣＩは、測定のための基準信号、およびビームの測定結果を報告するための基礎として使用される基準信号のうちの少なくとも１つをさらに含み、基準信号は、同期信号、同期信号リソース識別子、チャネル状態情報基準信号ＣＳＩ−ＲＳ、およびＣＳＩ−ＲＳリソース識別子のうちの少なくとも１つを含む。ＵＥは代替として、基準信号を報告することをスキップすることがあり、表示情報において指定される基準信号に基づいて測定を実行する。
【０３７８】
基地局は、ＵＥによって送信されるＵＣＩに従ってビームを処理し得る。
【０３７９】
前述の３つの可能なシナリオでは、第１のビームが複数のビームを含むとき、ＵＥは、平均化アルゴリズムを使用することによって複数のビームのうちの１つを基準として決定できることに留意されたい。
【０３８０】
上記の任意の事前設定、事前構成、または事前通知は、ＲＲＣシグナリングもしくはＭＡＣシグナリングを使用することによってネットワークデバイスによりＵＥに通知されることがあり、または前もってＵＥ上で指定されることがある。
【０３８１】
上で説明された識別子、番号、またはインデックスは等価であり交換可能である。
【０３８２】
図５は、本発明の実施形態による別のビームグループベースのデータ送信方法の概略フローチャートである。図５に示されるように、この実施形態はステップＳ５１０およびＳ５２０を含む。詳細が以下で与えられる。
【０３８３】
Ｓ５１０：ＵＥが、第１のビームを基準として使用すること、または第１のビームの測定結果を基準として使用することを決定する。
【０３８４】
具体的には、ＵＥは、各ビームを測定し、ビームグループ化を実行し、グループ化されたビームのためのビーム識別子および対応するビームの測定結果を決定する。
【０３８５】
可能な実施形態では、ビームグループ化は、ＵＥが、同一の特性を収容するビームを１つのグループへとグループ化し、同一の特性を収容しない残りのビームを１つのグループへとグループ化することを意味する。同一の特性を収容しないビームに対して、１つだけのビームを伴うビームがあり得る。この場合、ビームは１つだけのビームを含む。同一の特性を収容するビームを１つのグループへとグループ化することは、同一のサブキャリア間隔を伴うビームを１つのビームへとグループ化するための、ビームが同一のサブキャリア間隔を有するかどうかに基づくビームグループ化であることがあり、または、同一の波形を伴うビームを１つのビームへとグループ化するための、ビームが同一の波形を有するかどうかに基づくビームグループ化であることがあり、または、近い測定値を伴うビームを１つのビームへとグループ化するための、ビームが近い測定値を有するかどうかに基づくビームグループ化であることがある。
【０３８６】
対応するビームの測定結果を決定することは、ビームの測定値に基づいてビームの測定値を推測し、測定値と測定結果との間のマッピング関係または対応関係に基づいて、対応するビームの測定結果を取得することである。ビームの測定値に基づいてビームの測定値を推測することは、線形関数または非線形関数に基づいて推測することである。
【０３８７】
ＵＥによって第１のビームを決定する方式は次のことを含み得る：ＵＥは、最大のビーム番号を伴うビームを第１のビームとして決定し、または、ＵＥは最小のビーム番号を伴うビームを第１のビームとして決定し、または、ＵＥは中間のビーム番号を伴うビームを第１のビームとして決定する。
【０３８８】
別の可能な実施形態では、第１のビームが基準として使用され、第１のビームを決定するための方法が、最大のビーム番号を伴うビームを第１のビームとして選択することであるとき、ＵＥは、最大のビーム番号を伴うビームを第１のビームとして決定する。
【０３８９】
さらに別の可能な実施形態では、第１のビームが基準として使用され、第１のビームを決定するための方法が、最小のビーム番号を伴うビームを第１のビームとして選択することであるとき、ＵＥは、最小のビーム番号を伴うビームを第１のビームとして決定する。
【０３９０】
さらに別の可能な実施形態では、第１のビームが基準として使用され、第１のビームを決定するための方法が、中間のビーム番号を伴うビームを第１のビームとして選択することであるとき、ＵＥは、中間のビーム番号を伴うビームを第１のビームとして決定する。
【０３９１】
ＵＥによって第１のビームを決定する方式は次のことをさらに含み得る：ＵＥは、最大の測定値を伴うビームを第１のビームとして決定し、または、ＵＥは、最小の測定値を伴うビームを第１のビームとして決定し、または、ＵＥは、中間の測定値を伴うビームを第１のビームとして決定する。
【０３９２】
さらに別の可能な実施形態では、第１のビームが基準として使用され、第１のビームを決定するための方法が、最大の測定値を伴うビームを第１のビームとして選択することであるとき、ＵＥは、最大の測定値を伴うビームを第１のビームとして決定する。
【０３９３】
さらに別の可能な実施形態では、第１のビームが基準として使用され、第１のビームを決定するための方法が、最小の測定値を伴うビームを第１のビームとして選択することであるとき、ＵＥは、最小の測定値を伴うビームを第１のビームとして決定する。
【０３９４】
さらに別の可能な実施形態では、第１のビームが基準として使用され、第１のビームを決定するための方法が、中間の測定値を伴うビームを第１のビームとして選択することであるとき、ＵＥは、中間の測定値を伴うビームを第１のビームとして決定する。
【０３９５】
ＵＥは複数の方式で基準測定結果を決定することがあり、これらは具体的には以下の方式を含むことがある。
【０３９６】
方式１：
【０３９７】
複数のビームの測定値において、
最大の測定値を伴うビームに対応するビーム測定結果を基準測定結果として選択し、または、
最小の測定値を伴うビームに対応するビーム測定結果を基準測定結果として選択し、または、
中間の測定値を伴うビームに対応するビーム測定結果を基準測定結果として選択する。
【０３９８】
中間の測定値を決定するための方法は、複数の測定値に基づいて計算される平均値、もしくは最大の測定値と最小の測定値に基づいて計算される平均値に基づいて、複数のビームの測定値のうちの、中間の測定値を決定するステップ、または、複数のビームの測定値の中間にある値を中間の測定結果値として選択するステップを含む。
【０３９９】
第１のビームの決定の間に、複数のビームの中の第１のビーム以外のビームが第２のビームであり、第２のビームは複数のビームのうちの少なくとも１つを含み得ることに留意されたい。第１のビームの測定結果が基準測定結果として使用されることが決定されるとき、複数のビームの測定結果の中の第１のビームの測定結果以外のビームの測定結果は、第２のビームの測定結果である。
【０４００】
方式２：
【０４０１】
複数のビームのビーム番号において、
最大のビーム番号を伴うビームに対応するビーム測定結果を基準測定結果として選択し、または、
最小のビーム番号を伴うビームに対応するビーム測定結果を基準測定結果として選択し、または、
中間のビーム番号を伴うビームに対応するビーム測定結果を基準測定結果として選択し、中間のビーム番号を伴うビームは、複数のビームのビーム番号の中間にあるビーム番号に対応するビームである。
【０４０２】
ＵＥは、複数のビームのビーム番号を決定するために、複数のビームのためのビーム番号を指定し得ることに留意されたい。代替として、基地局は、ＵＥのためのビームグループ化を実行し、ビーム番号を伝え得る。
【０４０３】
可能な実施形態では、第１のビームの測定結果が基準測定結果として使用され、基準測定結果を決定するための方法が、最大の測定値を伴うビームに対応するビーム測定結果を選択することであるとき、ＵＥは、最大の測定値を伴うビームに対応するビーム測定結果を基準測定結果として決定する。
【０４０４】
別の可能な実施形態では、第１のビームの測定結果が基準測定結果として使用され、基準測定結果を決定するための方法が、最小の測定値を伴うビームに対応するビーム測定結果を選択することであるとき、ＵＥは、最小の測定値を伴うビームに対応するビーム測定結果を基準測定結果として決定する。
【０４０５】
さらに別の可能な実施形態では、第１のビームの測定結果が基準測定結果として使用され、基準測定結果を決定するための方法が、中間の測定値を伴うビームに対応するビーム測定結果を選択することであるとき、ＵＥは、中間の測定値を伴うビームに対応するビーム測定結果を基準測定結果として決定する。
【０４０６】
さらに別の可能な実施形態では、第１のビームが測定結果を基準測定結果として使用され、基準測定結果を決定するための方法が、最大のビーム番号を伴うビームに対応するビーム測定結果を選択することであるとき、ＵＥは、最大のビーム番号を伴うビームに対応するビーム測定結果を基準測定結果として決定する。
【０４０７】
さらに別の可能な実施形態では、第１のビームの測定結果が基準測定結果として使用され、基準測定結果を決定するための方法が、最小のビーム番号を伴うビームに対応するビーム測定結果を選択することであるとき、ＵＥは、最小のビーム番号を伴うビームに対応するビーム測定結果を基準測定結果として決定する。
【０４０８】
さらに別の可能な実施形態では、第１のビームの測定結果が基準測定結果として使用され、基準測定結果を決定するための方法が、中間のビーム番号を伴うビームに対応するビーム測定結果を選択することであるとき、ＵＥは、中間のビーム番号を伴うビームに対応するビーム測定結果を基準測定結果として決定する。
【０４０９】
Ｓ５２０：ＵＥが、アップリンク制御情報ＵＣＩをＵＣＩの第１のフォーマットで基地局に送信する。
【０４１０】
第１のフォーマットでＵＥによって送信されるＵＣＩは、ビームの測定結果情報およびビームの情報のうちの少なくとも１つを含む。ビームは第１のビームおよび第２のビームを含み、ビームの測定結果情報は、第１のビームの測定結果および第１のビームの測定結果に対する第２のビームの測定結果のオフセットを含む。第１のビームの測定結果は基準測定結果である。ビームの情報は、第１のビームの測定結果および第２のビームの測定結果のうちの少なくとも１つに対応するビームを示すために使用され、ビームは１つまたは複数のビームである。
【０４１１】
可能な実施形態では、第１のフォーマットで送信されるＵＣＩは、ビームの情報を含む。具体的には、第１のフォーマットで送信されるＵＣＩは、第１のビームの識別子および第２のビームの識別子を含み、第１のビームの識別子は基準として使用される。
【０４１２】
実施形態では、ＵＣＩは第１のビームの識別子および第２のビームの識別子を収容し、第２のビームの識別子は第２のビームの識別子または第１のビームの識別子に対するオフセットである。１つまたは複数の第２のビームがあり得る。
【０４１３】
実施形態では、ＵＣＩは、第１のビームの測定結果および第２のビームの測定結果の各々に対応するビームの識別子を収容し、第１のビームの識別子は基準として使用される。
【０４１４】
別の可能な実施形態では、第１のフォーマットで送信されるＵＣＩは、ビームの測定結果情報を含む。具体的には、ビームの測定結果に属するビームの識別子に基づいてＵＣＩの報告の方式を決定することは、次のことを含み得る。
【０４１５】
方式１：第１のビームの測定結果、第１のビームの識別子、第２のビームの測定結果、および第２のビームの識別子、ここで第１のビームの識別子は明示的に示され、第２のビームの識別子は明示的に示される。
【０４１６】
方式２：第１のビームの測定結果、第１のビームの識別子、第２のビームの測定結果、および第２のビームの識別子、ここで第１のビームの識別子は暗黙的に示され、第２のビームの識別子は明示的に示される。
【０４１７】
方式３：第１のビームの測定結果、第１のビームの識別子、および第２のビームの測定結果、ここで第１のビームの識別子は明示的に示され、第２のビームの識別子は暗黙的に示される。
【０４１８】
方式４：第１のビームの測定結果、および第２のビームの測定結果、ここで第１のビームの識別子は暗黙的に示され、第２のビームの識別子は暗黙的に示される。
【０４１９】
前述の暗黙的な表示は、表示が必要ではないことを意味する。ビームとビームの測定結果との間の対応関係は、あらかじめ定められた方式またはデフォルトの方式で解析され得る。
【０４２０】
前述の方式１から方式４において：
【０４２１】
可能な実施形態では、第２のビームの識別子が明示的に示されるとき、第２のビームの識別子は第２のビーム自体の識別子であり、または、第２のビームの識別子は第１のビームの識別子に対するオフセットである。
【０４２２】
たとえば、第２のビームの識別子が明示的に示され、第１のビームの識別子が「５」であるとき、第２のビームの識別子は「６」または「１」であり得る。
【０４２３】
この場合、第１のビームの識別子は、第１のビームに対応する基準測定結果に対応する。言い換えると、第１のビームの識別子は「５」であり、第１のビームに対応する基準測定結果に対応する識別子も「５」である。この場合、第２のビームの識別子は「６」であることがあり、第２のビームに対応する測定結果に対応する識別子も「６」であることがある。代替として、第２のビームの識別子は「１」であり、すなわち、第２のビームの識別子は第１のビームの識別子に対するオフセットであり、第２のビームに対応する測定結果に対応する識別子も「１」である。
【０４２４】
別の可能な実施形態では、第２のビームの識別子が暗黙的に示されるとき、ビームは、ビーム番号の昇順または降順で順番にソートされる。ＵＥは、複数のビームのビーム番号を決定するために、複数のビームのためのビーム番号を指定し得ることに留意されたい。代替として、基地局がビーム番号を伝え得る。たとえば、ビーム番号が１、２、３、…Ｍであるとき、ビームグループ１、２、３…Ｍは、報告のための１つのフォーマットで順番にソートされる。ビーム番号がｘ、ｘ＋１、…Ｎであるとき、ビームグループｘ、ｘ＋１、…Ｎは、報告のための１つのフォーマットで順番にソートされる。ビーム番号がＭ、Ｍ−１、…１であるとき、ビームグループＭ、Ｍ−１、…１は、報告のための１つのフォーマットで順番にソートされる。ビーム番号がＮ、Ｎ−１、…ｘであるとき、ビームグループＮ、Ｎ−１、…ｘは、報告のための１つのフォーマットで順番にソートされる。
【０４２５】
さらに別の可能な実施形態では、第２のビームの識別子が暗黙的に示されるとき、ビームは、ビーム番号の奇数または偶数の昇順で順番にソートされる。
【０４２６】
たとえば、ビーム番号が１、２、３、…Ｍであるとき、ビームグループ１、３、５、…Ｍ（Ｍが奇数である場合、最後のビームグループはビームグループＭであり、Ｍが偶数である場合、最後のビームグループはビームグループＭ−１である）は、報告のための１つのフォーマットで順番にソートされ、以下同様である。ビーム番号が１、２、３、…Ｍであるとき、ビームグループ２、４、６、…Ｍ（Ｍが偶数である場合、最後のビームグループはビームグループＭであり、Ｍが奇数である場合、最後のビームグループはビームグループＭ−１である）は、報告のための１つのフォーマットで順番にソートされ、以下同様である。
【０４２７】
さらに別の可能な実施形態では、第２のビームの識別子が暗黙的に示されるとき、ビームは、ビーム番号の奇数または偶数の降順で順番にソートされる。
【０４２８】
さらに別の可能な実施形態では、第２のビームの識別子が暗黙的に示されるとき、ビームは、あらかじめ設定されたソート方式、すなわち、あらかじめ設定された配列設計に対応する順序でソートされる。あらかじめ設定されたソート方式は、無線リソース制御ＲＲＣシグナリングまたは媒体アクセス制御シグナリングを使用することによって基地局からＵＥに送信され、または、あらかじめ設定されたソート方式は、事前構成を通じてＵＥ上で構成される。
【０４２９】
たとえば、ビーム番号が１、２、３、…Ｍであるとき、ビームグループ１、３、５、…Ｍに対して、あらかじめ設定された配列設計は、周波数ホッピング配列に従った順序付けられない設計であり得る。
【０４３０】
加えて、第１のフォーマットで送信されるＵＣＩは、ビームの測定結果情報およびビームの情報を含む。具体的には、ビームの測定結果に基づいてＵＣＩ報告の方式を決定することは、
第１のビームの測定結果、第１のビームの識別子、第２のビームの測定結果、および第２のビームの識別子を含むことがあり、ここで第１のビームの測定結果は基準測定結果であり、第１のビームの情報は明示的または暗黙的に示されることがあり、第２のビームの情報も明示的または暗黙的に示されることがある。
【０４３１】
可能な実施形態では、基準測定結果は、最大のビーム番号を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の降順または昇順で順番にソートされる。
【０４３２】
別の可能な実施形態では、基準測定結果は、最小のビーム番号を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の昇順または降順で順番にソートされる。
【０４３３】
さらに別の可能な実施形態では、基準測定結果は、中間のビーム番号を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、最小のビーム番号からのビーム番号の昇順であり、または最大のビーム番号からのビーム番号の降順であり、または中間のビーム番号から最大のビーム番号へのビーム番号の昇順でありそして中間のビーム番号から最小のビーム番号へのビーム番号の降順であり、または、中間のビーム番号から最小のビーム番号へのビーム番号の降順でありそして中間のビーム番号から最大のビーム番号へのビーム番号の昇順である。
【０４３４】
さらに別の可能な実施形態では、基準測定結果は、最大の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の降順または昇順で順番にソートされる。
【０４３５】
さらに別の可能な実施形態では、基準測定結果は、最小の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示され得るとき、基準測定結果に対する第２のビームの測定結果のオフセットは、ビーム番号の昇順または降順で順番にソートされる。
【０４３６】
さらに別の可能な実施形態では、基準測定結果は、中間の測定値を伴うビームに対応するビーム測定結果である。第１のビームの識別子は、明示的または暗黙的に示され得る。第１のビームの識別子が明示的に示されるとき、第１のビームの識別子は第１のビームのインデックスである。第２のビームの識別子は、明示的または暗黙的に示され得る。第２のビームの識別子が暗黙的に示されるとき、基準測定結果に対する第２のビームの測定結果のオフセットは、ビーム番号の昇順または降順で順番にソートされる。
【０４３７】
さらに別の可能な実施形態では、あらかじめ設定された閾値より大きいビームの測定結果が報告される。あらかじめ設定された閾値は、無線リソース制御ＲＲＣシグナリングまたは媒体アクセス制御シグナリングを使用することによって基地局からＵＥに送信され、または、あらかじめ設定された閾値は、事前構成を通じてＵＥ上で構成される。ビームの識別子は明示的に示される。実施形態では、測定結果はあらかじめ設定されたソート方式でソートされて報告され、あらかじめ設定されたソート方式は、前述の方式の任意の逐次的なソート順序であり得る。
【０４３８】
たとえば、基準測定結果に対する測定結果のオフセットがあらかじめ設定された閾値より大きいとき、基準測定結果に対する測定結果のオフセットはあらかじめ設定されたソート方式でソートされ、または、測定結果が閾値より大きいとき、測定結果はあらかじめ設定されたソート方式でソートされる。
【０４３９】
前述の方法では、あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって基地局からＵＥに送信され、または、あらかじめ設定された閾値およびあらかじめ設定されたソート方式のうちの少なくとも１つが、ＵＥ上であらかじめ構成される。
【０４４０】
加えて、第１のフォーマットでＵＥによって送信されるＵＣＩは、測定のための基準信号、またはビームの測定結果を報告するための基礎として使用される基準信号のうちの少なくとも１つをさらに含み、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０４４１】
基地局は、ＵＥによって送信されるＵＣＩに従ってビームを処理し得る。
【０４４２】
前述の３つの可能なシナリオでは、第１のビームが複数のビームを含むとき、ＵＥは、平均化アルゴリズムを使用することによって複数のビームのうちの１つを基準として決定できることに留意されたい。
【０４４３】
上記の任意の事前設定、事前構成、または事前通知は、ＲＲＣシグナリングもしくはＭＡＣシグナリングを使用することによってネットワークデバイスによりＵＥに通知されることがあり、または前もってＵＥ上で指定されることがある。
【０４４４】
上で説明された識別子、番号、またはインデックスは等価であり交換可能である。
【０４４５】
ビームグループまたはビームの測定結果がハイブリッド自動再送要求（ｈｙｂｒｉｄ  ａｕｔｏｍａｔｉｃ  ｒｅｐｅａｔ  ｒｅｑｕｅｓｔ、ＨＡＲＱ）と多重化される必要があるかどうかが、決定される必要があることに留意されたい。測定結果がＨＡＲＱと多重化される必要がある場合、基地局は、対応する多重化フォーマットを用いて前もってＵＥのための構成を行う必要がある。たとえば、パラメータ同時ＨＡＲＱおよびＢＭＲ（ビーム管理結果）が、より高次のレイヤのシグナリングによって構成される。このパラメータが真（ｔｒｕｅ）であるものとして構成されるとき、ＨＡＲＱとビームの測定結果との間の多重化は、アクティブ化または有効化される。すべてのより高次のレイヤのシグナリングが、基地局によってＵＥに送信されるＲＲＣシグナリングである。報告は、定期的であることがあり、イベントによりトリガされることがあり、または定期的に時間でトリガされることがある。
【０４４６】
コリジョンの場合、以下の規則が遵守されるべきである：物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）送信が実行される時間リソース単位において、周期的なビーム測定結果の報告およびＨＡＲＱ−ＡＣＫがあるとき、ＵＥがＰＵＣＣＨ送信およびＰＵＳＣＨ送信を同時に実行することが不可能であるものとしてより高次のレイヤのシグナリングによって構成される限り、または、一時的（偽）であるパラメータ同時ＨＡＲＱおよびＢＭＲがより高次のレイヤのシグナリングによってＵＥのために構成される限り、周期的なビーム測定結果の報告は、１つのリソース単位の中のデータ送信（たとえば、ＰＵＳＣＨ送信）におけるＨＡＲＱ−ＡＣＫと多重化され得る。ＵＥがＰＵＣＣＨ送信およびＰＵＳＣＨ送信を同時に実行することが可能であるものとしてより高次のレイヤのシグナリングによって構成される場合、かつ、ＰＵＣＣＨフォーマットが定期的なビーム測定結果の報告およびＨＡＲＱ−ＡＣＫのために使用されないこと、または、偽であるパラメータ同時ＨＡＲＱおよびＢＭＲがより高次のレイヤのシグナリングによってＵＥのために構成されることを、ＵＥが決定する場合、ＨＡＲＱ−ＡＣＫはＰＵＣＣＨ上で送信され、定期的なＣＳＩはＰＵＳＣＨ上で送信される。ＵＥがＰＵＣＣＨ送信およびＰＵＳＣＨ送信を同時に実行することが可能であるものとしてより高次のレイヤのシグナリングによって構成される場合、かつ、ＰＵＣＣＨフォーマットが定期的なビーム測定結果の報告およびＨＡＲＱ−ＡＣＫのために使用されること、および／または、真であるパラメータ同時ＨＡＲＱおよびＢＭＲがより高次のレイヤのシグナリングによってＵＥのために構成されることを、ＵＥが決定する場合、定期的なビーム測定結果の報告とＨＡＲＱ−ＡＣＫの両方がＰＵＣＣＨ上で送信される。
【０４４７】
図６は、本発明の実施形態によるビームグループベースの端末の概略構造図である。図６に示されるように、端末は具体的には、アップリンク制御情報ＵＣＩをＵＣＩの第１のフォーマットで無線アクセスネットワークデバイスに送信するように構成されるトランシーバ６１０を含むことがあり、第１のフォーマットで送信されるＵＣＩはビームグループの測定結果情報およびビームグループの情報のうちの少なくとも１つを含み、ビームグループは第１のビームグループおよび第２のビームグループを含み、ビームグループの測定結果情報は第１のビームグループの測定結果および第１のビームグループの測定結果に対する第２のビームグループの測定結果のオフセットを含み、第１のビームグループの測定結果は基準測定結果であり、ビームグループの情報は第１のビームグループの測定結果および第２のビームグループの測定結果のうちの少なくとも１つに対応するビームグループを示すために使用され、ビームグループは１つまたは複数のビームグループである。複数の第２のビームグループがあるとき、第２のビームグループの測定結果に対応するビームグループが複数のそれぞれ対応するビームグループである。すなわち、第２のビームグループは、第３のビームグループおよび第４のビームグループを含む。この場合、第２のビームグループの測定結果は、第３のビームグループに対応する測定結果および第４のビームグループに対応する測定結果を含む。第２のビームグループは、限定はされないが、第３のビームグループおよび第４のビームグループを含み、代替としてＮ個のビームグループを含むことがあり、Ｎは正の整数であることに留意されたい。
【０４４８】
端末は、複数のビームグループがあるときに基準測定結果を決定するように構成されるプロセッサ６２０をさらに含み得る。プロセッサ６２０は具体的には、複数のビームグループの測定値に基づいて基準測定結果を決定するように構成され、複数のビームグループの測定値の中の最大の測定値を伴うビームグループに対応するビームグループ測定結果が基準測定結果であり、または、最小の測定値を伴うビームグループに対応するビームグループ測定結果が基準測定結果であり、または、中間の測定値を伴うビームグループに対応するビームグループ測定結果が基準測定結果である。ビームグループは、そのビームグループの測定結果との１対１の対応関係にある。具体的には、第１のビームグループは第１のビームグループの測定結果を有し、または第１のビームグループは第１のビームグループの測定結果に対応し、または第１のビームグループの測定結果は第１のビームグループに属し、または第１のビームグループの測定結果に対応するビームグループは第１のビームグループである。第２のビームグループは第２のビームグループの測定結果を有し、または第２のビームグループは第２のビームグループの測定結果に対応し、または第２のビームグループの測定結果は第２のビームグループに属し、または第２のビームグループの測定結果に対応するビームグループは第２のビームグループである。
【０４４９】
プロセッサ６２０は、中間の測定値を決定するようにさらに構成され、具体的には、複数のビームグループの測定値の平均値を計算するように、または、最大の測定値および最小の測定値に基づいて計算される平均値に基づいて中間の測定値を決定するように、または、複数のビームグループの測定値の中間にある値を中間の測定結果値として選択するように構成される。
【０４５０】
プロセッサ６２０は、複数のビームグループがあるときに基準測定結果を決定するようにさらに構成され、具体的には、ビームグループ番号に基づいて基準測定結果を決定するように構成される。複数のビームグループ番号の中の最大のビームグループ番号を伴うビームグループに対応するビームグループ測定結果が基準測定結果であり、または、最小のビームグループ番号を伴うビームグループに対応するビームグループ測定結果が基準測定結果であり、または、中間のビームグループ番号を伴うビームグループに対応するビームグループ測定結果が基準測定結果であり、中間のビームグループ番号を伴うビームグループが、複数のビームグループのビームグループ番号の中間にあるビームグループ番号に対応するビームグループである。
【０４５１】
ビームグループの情報は、第１のビームグループの測定結果および第２のビームグループの測定結果のうちの少なくとも１つに対応するビームグループ識別子を含み、ビームグループ識別子は、基準測定結果が属する第１のビームグループのビームグループ識別子および基準測定結果に対するオフセットが属する第２のビームグループのビームグループ識別子のうちの少なくとも１つである。
【０４５２】
プロセッサ６２０は、第２のビームグループの識別子が明示的に示されるとき、第２のビームグループの識別子が第２のビームグループの識別子自体であること、または、第２のビームグループの識別子が第１のビームグループの識別子に対するオフセットであることを決定するようにさらに構成される。
【０４５３】
プロセッサ６２０は、第２のビームグループの識別子が暗黙的に示されるとき、基準測定結果に対する第２のビームグループの測定結果のオフセットがビームグループ番号の昇順もしくは降順で順番にソートされること、または、基準測定結果に対する第２のビームグループの測定結果のオフセットがビームグループ番号の奇数もしくは偶数の昇順で順番にソートされること、または、基準測定結果に対する第２のビームグループの測定結果のオフセットがビームグループ番号の奇数もしくは偶数の降順で順番にソートされること、または、基準測定結果に対する第２のビームグループの測定結果のオフセットがあらかじめ設定されたソート方式でソートされることを決定するようにさらに構成される。
【０４５４】
プロセッサ６２０は、第２のビームグループの識別子が暗黙的に示されるとき、第１のビームグループに対応する基準測定結果が最大のビームグループを伴うビームグループに対応するビームグループ測定結果であり、基準測定結果に対する第２のビームグループの測定結果のオフセットがビームグループ番号の降順で順番にソートされること、または、第１のビームグループに対応する基準測定結果が最小のビームグループ番号を伴うビームグループに対応するビームグループ測定結果であり、基準測定結果に対する第２のビームグループの測定結果のオフセットがビームグループ番号の昇順で順番にソートされること、または、あらかじめ設定された閾値より大きいビームグループの測定結果があらかじめ設定されたソート方式でソートされることを決定するようにさらに構成される。
【０４５５】
あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【０４５６】
トランシーバ６１０は、無線アクセスネットワークデバイスから表示情報を受信するようにさらに構成され、ＵＣＩ報告のための基準として第１のビームグループを使用するか、またはＵＣＩ報告のための基準として第１のビームグループの測定結果を使用するかをプロセッサに命令するために、表示情報が使用される。
【０４５７】
第１のビームグループを基準として使用するようにプロセッサに命令するために表示情報が使用されるとき、表示情報は、第１のビームグループを決定するための方法をさらに含むことがあり、または、第１のビームグループの測定結果を基準として使用するようにプロセッサに命令するために表示情報が使用されるとき、表示情報は、第１のビームグループの測定結果を基準測定結果として決定するための方法を含むことがある。
【０４５８】
表示情報は、ＵＣＩがビームグループの識別子を含むか、またはビームグループの識別子のみを収容するかを示すためにさらに使用される。
【０４５９】
ビームグループの測定結果に対応するビームグループの識別子が明示的に示されること、または暗黙的に示されることを示すために、表示情報がさらに使用される。
【０４６０】
表示情報は、第１のフォーマットでトランシーバによって送信されるＵＣＩが、ビームグループの測定結果情報がハイブリッド自動再送要求ＨＡＲＱと多重化されることを含むこと、またはＨＡＲＱ多重化フォーマットを含むことを示すためにさらに使用される。
【０４６１】
表示情報は、測定のための基準信号、またはビームグループの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０４６２】
図７は、本発明の実施形態によるビームベースの端末の概略構造図である。図７に示されるように、端末は具体的には、アップリンク制御情報ＵＣＩをＵＣＩの第１のフォーマットで無線アクセスネットワークデバイスに送信するように構成されるトランシーバ７１０を含むことがあり、第１のフォーマットで送信されるＵＣＩはビームの測定結果情報およびビームの情報のうちの少なくとも１つを含み、ビームは第１のビームおよび第２のビームを含み、ビームの測定結果情報は第１のビームの測定結果および第１のビームの測定結果に対する第２のビームの測定結果のオフセットを含み、第１のビームの測定結果は基準測定結果であり、ビームの情報は第１のビームの測定結果および第２のビームの測定結果のうちの少なくとも１つに対応する１つまたは複数のビームを示すために使用され、ビームは１つまたは複数のビームであり得る。複数の第２のビームがあるとき、第２のビームの測定結果に対応するビームが複数のそれぞれ対応するビームである。すなわち、第２のビームは第３のビームおよび第４のビームを含む。この場合、第２のビームの測定結果は、第３のビームに対応する測定結果および第４のビームに対応する測定結果を含む。第２のビームは、限定はされないが、第３のビームおよび第４のビームを含み、代替としてＮ個のビームグループを含むことがあり、Ｎは正の整数であることに留意されたい。
【０４６３】
端末は、複数のビームがあるときに基準測定結果を決定するように構成されるプロセッサ７２０をさらに含み得る。プロセッサ７２０は具体的には、複数のビームの測定値に基づいて基準測定結果を決定するように構成され、複数のビームの測定値の中の最大の測定値を伴うビームに対応するビーム測定結果が基準測定結果であり、または、最小の測定値を伴うビームに対応するビーム測定結果が基準測定結果であり、または、中間の測定値を伴うビームに対応するビーム測定結果が基準測定結果である。ビームは、そのビームの測定結果との１対１の対応関係にある。具体的には、第１のビームは第１のビームの測定結果を有し、または第１のビームは第１のビームの測定結果に対応し、または第１のビームの測定結果は第１のビームに属し、または第１のビームの測定結果に対応するビームは第１のビームである。第２のビームは第２のビームの測定結果を有し、または第２のビームは第２のビームの測定結果に対応し、または第２のビームの測定結果は第２のビームに属し、または第２のビームの測定結果に対応するビームは第２のビームである。
【０４６４】
プロセッサ７２０は、中間の測定値を決定するようにさらに構成され、具体的には、複数のビームの測定値の平均値を計算するように、または、最大の測定値および最小の測定値に基づいて計算される平均値に基づいて中間の測定値を決定するように、または、複数のビームの測定値の中間にある値を中間の測定結果値として選択するように構成される。
【０４６５】
プロセッサ７２０は、複数のビームがあるときに基準測定結果を決定するようにさらに構成され、具体的には、ビーム番号に基づいて基準測定結果を決定するように構成される。複数のビーム番号の中の最大のビーム番号を伴うビームに対応するビーム測定結果が基準測定結果であり、または、最小のビーム番号を伴うビームに対応するビーム測定結果が基準測定結果であり、または、中間のビーム番号を伴うビームに対応するビーム測定結果が基準測定結果であり、中間のビーム番号を伴うビームが、複数のビームのビーム番号の中間にあるビーム番号に対応するビームである。
【０４６６】
ビームの情報は、第１のビームの測定結果および第２のビームの測定結果のうちの少なくとも１つに対応するビーム識別子を含み、ビーム識別子は、基準測定結果が属する第１のビームのビーム識別子および基準測定結果に対するオフセットが属する第２のビームのビーム識別子のうちの少なくとも１つである。
【０４６７】
プロセッサ７２０は、第２のビームの識別子が明示的に示されるとき、第２のビームの識別子が第２のビーム自体の識別子であること、または、第２のビームの識別子が第１のビームの識別子に対するオフセットであることを決定するようにさらに構成される。
【０４６８】
プロセッサ７２０は、第２のビームの識別子が暗黙的に示されるとき、基準測定結果に対する第２のビームの測定結果のオフセットがビーム番号の昇順もしくは降順で順番にソートされること、または、基準測定結果に対する第２のビームの測定結果のオフセットがビーム番号の奇数もしくは偶数の昇順で順番にソートされること、または、基準測定結果に対する第２のビームの測定結果のオフセットがビーム番号の奇数もしくは偶数の降順で順番にソートされること、基準測定結果に対する第２のビームの測定結果のオフセットがビーム番号の奇数もしくは偶数の降順で順番にソートされること、または、基準測定結果に対する第２のビームの測定結果のオフセットがあらかじめ設定されたソート方式でソートされることを決定するようにさらに構成される。
【０４６９】
プロセッサ７２０は、第２のビームの識別子が暗黙的に示されるとき、第１のビームに対応する基準測定結果が最大のビーム番号を伴うビームに対応するビーム測定結果であり、基準測定結果に対する第２のビームの測定結果のオフセットがビーム番号の降順で順番にソートされること、または、第１のビームに対応する基準測定結果が最小のビーム番号を伴うビームに対応するビーム測定結果であり、基準測定結果に対する第２のビームの測定結果のオフセットがビーム番号の昇順で順番にソートされること、または、あらかじめ設定された閾値より大きいビームの測定結果があらかじめ設定されたソート方式でソートされることを決定するようにさらに構成される。
【０４７０】
あらかじめ設定された閾値およびあらかじめ設定されたソート方式のうちの少なくとも１つが、無線リソース制御ＲＲＣシグナリングおよび媒体アクセス制御シグナリングのうちの少なくとも１つを使用することによって、無線アクセスネットワークデバイスから端末に送信され、または、あらかじめ設定された閾値およびあらかじめ設定されたソート方式のうちの少なくとも１つが、端末上であらかじめ構成される。
【０４７１】
トランシーバ７１０は、無線アクセスネットワークデバイスから表示情報を受信するようにさらに構成され、ＵＣＩ報告のための基準として第１のビームを使用するか、またはＵＣＩ報告のための基準として第１のビームの測定結果を使用するかをプロセッサに命令するために、表示情報が使用される。
【０４７２】
第１のビームを基準として使用するようにプロセッサに命令するために表示情報が使用されるとき、表示情報は、第１のビームを決定するための方法をさらに含むことがあり、または、第１のビームの測定結果を基準として使用するようにプロセッサに命令するために表示情報が使用されるとき、表示情報は、第１のビームの測定結果を基準測定結果として決定するための方法をさらに含むことがある。
【０４７３】
表示情報は、ＵＣＩがビームの識別子を含むか、またはビームの識別子のみを収容するかを示すためにさらに使用される。
【０４７４】
ビームの測定結果に対応するビームの識別子が明示的に示されること、または暗黙的に示されることを示すために、表示情報がさらに使用される。
【０４７５】
表示情報は、第１のフォーマットでトランシーバによって送信されるＵＣＩが、ビームの測定結果情報がハイブリッド自動再送要求ＨＡＲＱと多重化されることを含むこと、またはＨＡＲＱ多重化フォーマットを含むことを示すためにさらに使用される。
【０４７６】
表示情報は、測定のための基準信号、またはビームの測定結果を報告するための基礎として使用される基準信号を示すためにさらに使用され、基準信号は、同期信号、同期信号リソース識別子、チャネル状態情報基準信号ＣＳＩ−ＲＳ、およびＣＳＩ−ＲＳリソース識別子のうちの少なくとも１つを含む。
【０４７７】
本発明の実施形態において提供される方法では、グループ化されたビームグループまたはビームは、測定結果を決定するために、表示メッセージに基づいて測定される。ビームグループ化がビーム管理コストを減らすのを助ける。加えて、ミリメートル波システムにおけるビームグループ化ベースのアップリンク制御情報の報告の問題が解決され、アップリンク制御情報を使用することによるグループ化されたビームグループおよびビームの測定ならびに測定結果の報告が実施され、それにより、リソースを適切に利用して報告のオーバーヘッドを減らす。
【０４７８】
当業者は、本明細書で開示される実施形態に関して説明された例におけるユニットおよびアルゴリズムステップが、電子ハードウェア、コンピュータソフトウェア、またはこれらの組合せによって実装され得ることを、さらに認識し得る。ハードウェアとソフトウェアの交換可能性を明確に説明するために、上記は、機能に基づいて各例の組成およびステップを全般的に説明した。機能がハードウェアによって実行されるのか、またはソフトウェアによって実行されるのかは、技術的解決法の具体的な適用例および設計制約に依存する。当業者は、各々の具体的な適用例に対して説明される機能を実装するために異なる方法を使用し得るが、実装が本出願の範囲を超えると見なされるべきではない。
【０４７９】
当業者は、実施形態の上記の方法の各々におけるステップのすべてまたは一部が、プロセッサに命令するプログラムによって実施され得ることを、理解し得る。上記のプログラムはコンピュータ可読記憶媒体に記憶され得る。記憶媒体は、ランダムアクセスメモリ、読取り専用メモリ、フラッシュメモリ、ハードディスク、ソリッドステートドライブ、磁気テープ（ｍａｇｎｅｔｉｃ  ｔａｐｅ）、フロッピーディスク（ｆｌｏｐｐｙ  ｄｉｓｋ）、光学ディスク（ｏｐｔｉｃａｌ  ｄｉｓｃ）、またはこれらの任意の組合せなどの、非一時的（ｎｏｎ−ｔｒａｎｓｉｔｏｒｙ）媒体であり得る。
【０４８０】
上記の説明は、本出願の例示的な特定の実装にすぎず、本発明の保護範囲を限定することは意図されない。本出願で開示される技術範囲内で当業者によって容易に想到されるいかなる変形または置換も、本発明の保護範囲内に入るものとする。したがって、本出願の保護範囲は、特許請求の範囲の保護範囲に従うものとする。
【図１】
2020534747.tif 000003
【図２】
2020534747.tif 000004
【図３】
2020534747.tif 000005
【図４】
2020534747.tif 000006
【図５】
2020534747.tif 000007
【図６】
2020534747.tif 000008
【図７】
2020534747.tif 000009
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
データ送信方法であって、
端末によって、アップリンク制御情報ＵＣＩを前記ＵＣＩの第１のフォーマットで無線アクセスネットワークデバイスに送信するステップを備え、
前記第１のフォーマットで送信される前記ＵＣＩはビームグループの測定結果情報の少なくとも１つを備え、前記ビームグループは第１のビームおよび第２のビームを備え、前記ビームグループの前記測定結果情報は、前記第１のビームの第１の測定結果と、前記第１のビームの前記測定結果に対する前記第２のビームの第２の測定結果のオフセットとを備え、前記第１のビームの前記第１の測定結果は基準測定結果である、データ送信方法。
【請求項２】
前記第１の測定結果は、前記ビームグループにおけるビームの測定結果の、最大の測定値である請求項１に記載の方法。
【請求項３】
端末によって、アップリンク制御情報ＵＣＩを前記ＵＣＩの第１のフォーマットで無線アクセスネットワークデバイスに送信する前記ステップの前に、
前記端末によって、前記無線アクセスネットワークデバイスから表示情報を受信するステップをさらに備え、ＵＣＩ報告のための基準として前記第１のビームを使用するか、または前記ＵＣＩ報告のための基準として前記第１の測定結果を使用するかを前記端末に命令するために、前記表示情報が使用される請求項１に記載の方法。
【請求項４】
第１のビームを基準として使用することを前記端末に命令するために前記表示情報が使用されるとき、前記表示情報は、第１のビームを決定するための方法をさらに備えることがあり、または、
前記第１のビームの前記測定結果を基準として使用することを前記端末に命令するために前記表示情報が使用されるとき、前記表示情報は、前記第１のビームの前記測定結果を前記基準測定結果として決定するための方法をさらに備えることがある請求項３に記載の方法。
【請求項５】
前記表示情報は、測定のための基準信号を示すためにさらに使用され、前記基準信号は、同期信号、同期信号リソース識別子、チャネル状態情報基準信号ＣＳＩ−ＲＳ、およびＣＳＩ−ＲＳリソース識別子のうちの少なくとも１つを備える請求項３または４に記載の方法。
【請求項６】
前記表示情報はさらに、ビームグルーピングに基づく前記ＵＣＩを報告するかどうかを前記端末に命令するのに使用される、請求項３に記載の方法。
【請求項７】
前記表示情報が、ビームグルーピングに基づく前記ＵＣＩを報告するように前記端末に命令するときに、前記方法はさらに、
前記端末によってグルーピングビームにより前記ビームグループを決定する、請求項６に記載の方法。
【請求項８】
命令を備えるコンピュータ可読記憶媒体であって、前記命令がコンピュータ上で走らされるとき、前記コンピュータは、請求項１乃至７のいずれか一項に記載の方法を実行することが可能にされる、コンピュータ可読記憶媒体。
【請求項９】
命令を備えるコンピュータプログラムであって、前記コンピュータプログラムがコンピュータ上で走らされるとき、前記コンピュータは、請求項１乃至７のいずれか一項に記載の方法を実行することが可能にされる、コンピュータプログラム。
【請求項１０】
少なくとも一つのプロセッサと、
少なくとも一つのメモリを備える端末であって、
前記少なくとも一つのメモリは、前記少なくとも一つのプロセッサによって実行されたときに端末に請求項１乃至７のいずれか一項に記載の方法を実行させる命令を備える端末。
【国際調査報告】
2020534747.tif 000010
2020534747.tif 000011
2020534747.tif 000012
2020534747.tif 000013